(57)【要約】  【課題】  ユーザが所望する可能性の高いコンテンツを自動的に選択できるようにする。  【解決手段】  上位の選択画面で「アーティスト」を選択すると、画面がアーティストリスト画面１０６に切り替わると共に、再生装置において最もコンテンツの再生頻度が高いアーティスト名の位置に、カーソル表示７０が自動的に配置される。キー操作で決定すると、アルバムリスト画面１０７に画面が切り替わり、セールス情報に基づき最も売れたアルバム名の位置に、カーソル表示７０が自動的に配置される。さらにキー操作で決定すると、コンテンツリスト画面１０８に画面が切り替わり、レイティングが最も高いコンテンツ名の位置に、カーソル表示７０が自動的に配置される。ユーザの選択が想定される項目に自動的にカーソル表示７０が配置されるので、ユーザの選択操作に対する負担が軽減される。【選択図】  図１２
2007035162.tif 000002
【特許請求の範囲】
【請求項１】
所定の属性に基づく複数の選択項目を表示可能な表示部と、
上記表示部に表示される上記複数の選択項目のうち１の項目に対応する位置にカーソル表示を表示させる制御部と
を備え、
上記制御部は、
上記カーソル表示を、上記複数の選択項目それぞれが有する所定の情報に基づき配置するようにした
ことを特徴とする電子機器。
【請求項２】
請求項１に記載の電子機器において、
上記所定の情報は、上記所定の属性に含まれる時間情報である
ことを特徴とする電子機器。
【請求項３】
請求項１に記載の電子機器において、
上記所定の情報は、上記複数の選択項目に対する選択結果の履歴に基づく情報である
ことを特徴とする電子機器。
【請求項４】
請求項１に記載の電子機器において、
上記所定の情報は、上記複数の選択項目に基づき選択されるコンテンツの供給元から提供される情報に基づく
ことを特徴とする電子機器。
【請求項５】
請求項１に記載の電子機器において、
ユーザ操作に応じた制御信号を出力する操作部をさらに有し、
上記制御部は、
上記操作部に対する操作に応じて上記表示部の表示が切り換えられたら、上記カーソル表示を自動的に配置するようにした
ことを特徴とする電子機器。
【請求項６】
請求項１に記載の電子機器において、
上記複数の選択項目は、上記表示部に所定の順序で表示され、
上記制御部は、
上記所定の順序を変更せずに上記カーソル表示を配置するようにした
ことを特徴とする電子機器。
【請求項７】
所定の属性に基づく複数の選択項目のうち１の項目に対応する位置に表示されるカーソル表示を、上記複数の選択項目それぞれが有する所定の情報に基づき配置するようにした
ことを特徴とする表示方法。
【請求項８】
所定の属性に基づく複数の選択項目のうち１の項目に対応する位置に表示されるカーソル表示を、上記複数の選択項目それぞれが有する所定の情報に基づき配置するようにした表示方法をコンピュータ装置に実行させる
ことを特徴とする表示プログラム。
【発明の詳細な説明】
【技術分野】
【０００１】
この発明は、記録媒体に記録されたコンテンツから１のコンテンツを選択するようにした電子機器、表示方法および表示プログラムに関する。
【背景技術】
【０００２】
近年では、記録媒体として小型のハードディスクドライブを用いた携帯用の再生装置が、数多く製品化されている。小型ハードディスクドライブは、記録容量が数ＧＢ（ギガバイト）乃至数１０ＧＢ程度であり、数１００乃至数１０００コンテンツといった、非常に多数のコンテンツデータを記録できるため、急激な普及を遂げている。このような再生装置は、筐体が小型、軽量に構成されているため、記録媒体に例えば楽曲などのオーディオデータからなるコンテンツを記録して再生装置と共に戸外に持ち出し、記録媒体に記録された楽曲を戸外にて再生して楽しむことができる。
【０００３】
例えば、ユーザは、ＣＤ(Compact Disc)のトラックを例えばパーソナルコンピュータなどを用いて取り込み、取り込んだトラックをオーディオデータからなるコンテンツとして、所定のインターフェイスを介して接続した携帯用の再生装置に転送し、再生装置の記録媒体に記録する。ユーザは、再生装置の記録媒体に記録されたコンテンツ再生して、個人的に楽しむことができる。
【０００４】
また、近年では、インターネット上のサーバに例えばオーディオデータからなるコンテンツを多数、蓄積し、ユーザに、インターネットに接続されたパーソナルコンピュータなどの情報機器を用いてサーバ上のコンテンツをダウンロードさせるようなサービスも普及してきている。ユーザは、インターネット上のサーバからダウンロードしたコンテンツを携帯用の再生装置に転送して記録媒体に記録し、再生させることができる。
【０００５】
このように、記録媒体に対して非常に多数の楽曲を記録して用いる場合、記録されたトラック曲を選択および指定するインターフェイスは、所望のコンテンツを迅速に選択できることが求められる。従来から、回転ホイールや上下若しくは上下左右の方向を指示する多方向キーなどを用いて、表示部に表示されたコンテンツリストのカーソルを移動させ、所望のトラックを選択する方法が用いられている。例えば再生キーを押圧することで、カーソル位置に対応したコンテンツが再生される。
【０００６】
記録媒体に非常に多数のトラックが記録されている場合、記録媒体に記録された全てのアルバム名やコンテンツ名（曲名）をユーザが知らないことも考えられる。また、メロディーなどは分かるが、コンテンツ名などのテキスト情報を知らないことも多い。さらに、携帯用の再生装置は、歩行中などユーザが移動中に用いられることも多く、テキスト情報を頼りに所望のコンテンツを選択することが難しい場合が多い。
【０００７】
このような場合には、ユーザは、記録媒体に記録されたオーディオデータを一々再生しながら所望のコンテンツを選択することになり、非常に煩わしい。これを解消するために、アルバムの各コンテンツについて、オーディオデータの所定の部分をハイライト部分として設定し、当該所定の部分を順次再生するようにした技術が特許文献１に記載されている。この特許文献１の方法によれば、ユーザは、アルバムの各コンテンツの内容を自動的に確認することができるため、所望の楽曲を、手を煩わせることなく選択することができる。
【特許文献１】特開２００３−５０８１６号公報
【発明の開示】
【発明が解決しようとする課題】
【０００８】
ところで、例えばＣＤから取り込み再生装置の記録媒体に記録されたオーディオデータは、再生装置において、デフォルトの再生順がＣＤの収録順とされるのが一般的である。また、同じアーティストのアルバム（ＣＤ）が複数、再生装置の記録媒体に記録されている場合には、アーティストのアルバム一覧画面になどにおいて、アルバムがアルバム名のアルファベット順などに並べられるのが一般的である。これに限らず、再生装置の記録媒体に記録されているコンテンツのアーティスト一覧や、アーティストのジャンル別一覧など、コンテンツに関する情報を一覧する表示画面では、リストに表示されるテキストのアルファベット順など、一定の順番で並べられるのが一般的である。
【０００９】
しかしながら、このような機械的なコンテンツの並び順では、リストの先頭に表示されるコンテンツとユーザの所望するコンテンツとは、関連性が無く、ユーザは、所望のコンテンツを記録媒体に記録されたコンテンツの中から一々探さなくてはいけないという問題点があった。
【００１０】
この場合でも、上述したように再生装置の記録媒体に非常に多数のトラックが記録されている場合、ユーザが予め何らかの選択基準を決めて１のトラックを選択するのであれば、特許文献１のような、各トラックのハイライト部分を順次再生する方法で、比較的容易に、目的のトラックを見つけ出すことができるものと思われる。
【００１１】
一方、ユーザが、例えば漠然と何かを聴きたいと考えてトラックの選択を行うような場合も多いと考えられる。このような場合、ハイライト部分を順次再生しながらトラックを選択するにしても、なかなか所望のトラックが決まらず、無為に時間が経過してしまうようなことが往々にしてあるという問題点があった。このような問題は、特に記録媒体の容量が大きく記録されているトラック数が多くなるほど、より顕著になると考えられる。
【００１２】
したがって、この発明の目的は、ユーザがコンテンツを選択する際の負担を軽減できるような電子機器、表示方法および表示プログラムを提供することにある。
【課題を解決するための手段】
【００１３】
この発明は、上述した課題を解決するために、所定の属性に基づく複数の選択項目を表示可能な表示部と、表示部に表示される複数の選択項目のうち１の項目に対応する位置にカーソル表示を表示させる制御部とを備え、制御部は、カーソル表示を、複数の選択項目それぞれが有する所定の情報に基づき配置するようにしたことを特徴とする電子機器である。
【００１４】
また、この発明は、所定の属性に基づく複数の選択項目のうち１の項目に対応する位置に表示されるカーソル表示を、複数の選択項目それぞれが有する所定の情報に基づき配置するようにしたことを特徴とする表示方法である。
【００１５】
また、この発明は、所定の属性に基づく複数の選択項目のうち１の項目に対応する位置に表示されるカーソル表示を、複数の選択項目それぞれが有する所定の情報に基づき配置するようにした表示方法をコンピュータ装置に実行させることを特徴とする表示プログラムである。
【００１６】
上述したように、この発明は、所定の属性に基づく複数の選択項目のうち１の項目に対応する位置に表示されるカーソル表示を、複数の選択項目それぞれが有する所定の情報に基づき配置するようにしているため、複数の選択項目のうち１の項目を適応的に選択してカーソル表示を配置することができる。
【発明の効果】
【００１７】
以上説明したように、この発明は、所定の属性に基づく複数の選択項目のうち１の項目に対応する位置に表示されるカーソル表示を、複数の選択項目それぞれが有する所定の情報に基づき配置するようにしているため、複数の選択項目のうち１の項目を適応的に選択してカーソル表示を配置することができ、ユーザがコンテンツを選択する際の負担を軽減することが可能となる効果がある。
【発明を実施するための最良の形態】
【００１８】
以下、この発明の実施の一形態について説明する。この発明では、記録媒体に記録された多数のコンテンツから再生する１のコンテンツを選択するためリスト表示画面において、リスト上のユーザが最も選択したいと想定される項目を、リストのソート順とは関わりなくデフォルトの選択位置とし、選択状態を示すカーソル表示を対応する位置に自動的に配置する。さらに、コンテンツを所定のカテゴリに分類した上位のリスト表示画面においても、デフォルトの選択位置を、ユーザが最も選択したいと想定される項目の位置とし、対応する位置にカーソル表示を自動的に配置する。リストから１の項目を選択するためのカーソル表示を、ユーザの選択が想定される位置に自動的に配置することで、ユーザのコンテンツ選択の際の負担を減らすようにしている。
【００１９】
以下、この発明の実施の一形態について、下記の順序に従い説明する。
１．この発明が適用されるシステムの形態について
２．再生装置の構成について
３．カーソル表示のデフォルト位置の設定方法について
３−１．通常再生モード時におけるカーソル表示のデフォルト位置設定方法について
３−２．プレビュー再生モード時におけるカーソル表示のデフォルト位置設定方法について
３−２−１．プレビュー再生モード時の再生動作の概略について
３−２−２．カーソル表示のデフォルト位置設定方法について
４．この発明の実施の一形態の変形例について
５．この発明の実施の一形態の他の変形例について
【００２０】
１．この発明が適用されるシステムの形態について
図１は、この発明が適用可能な再生装置１の一例の使用形態を示す。再生装置１は、小型軽量の筐体に構成され携帯可能とされたポータブルデバイス（ＰＤ）であって、記録媒体としてハードディスクドライブを用い、記録媒体に記録されたコンテンツデータを再生する。また、再生装置１は、ＵＳＢ(Universal Serial Bus)やＩＥＥＥ１３９４(Institute Electrical and Electronics Engineers 1394)インターフェイスといった、パーソナルコンピュータ２（以下、ＰＣ２とする）と通信可能なインターフェイスを有する。この例では、再生装置１とＰＣ２とは、ＵＳＢを通信インターフェイスとして用いて接続されるものとする。
【００２１】
なお、以下では、再生装置１の記録媒体に記録されるコンテンツデータが楽曲データ、すなわちオーディオデータであるものとして説明する。楽曲データのそれぞれは、トラックとも称される。
【００２２】
ミュージックサーバ４は、インターネット３を介して、コンテンツデータのダウンロードなどのサービスを提供する。ミュージックサーバ４は、例えばコンテンツデータをアーティスト、収録アルバム、音楽ジャンルなどの属性情報と関連付けて管理する。属性情報として、楽曲の曲調やテンポなどをさらに関連付けると、より好ましい。また、ミュージックサーバ４は、コンテンツデータのダウンロード数などに応じたランキング情報の管理やアーティスト間の関連情報（アーティストリンク情報と呼ぶ）の管理なども行い、これらの情報を用いたサービスをインターネット３を介して提供する。例えば、上述の属性情報に対して、これらランキング情報、アーティストリンク情報などを追加して、ユーザに提供する。収録アルバムやコンテンツデータのリリース日を属性情報に加えてもよい。
【００２３】
ユーザは、例えばＰＣ２を用いてインターネット３に接続し、インターネット３上にあるミュージックサーバ４からコンテンツデータをダウンロードする。ダウンロードされたコンテンツは、ＰＣ２の例えばハードディスクドライブに格納される。さらに、ユーザは、再生装置１とＰＣ２とをＵＳＢケーブルを用いて接続し、ＰＣ２のハードディスクドライブに格納されたコンテンツデータを再生装置１に対して転送する。再生装置１は、転送されたコンテンツデータを、内蔵する記録媒体に記録する。ユーザは、ＰＣ２と再生装置１との接続を解除し、再生装置１を例えば戸外に持ち出して記録媒体に記録されたコンテンツデータを再生し、楽しむことができる。
【００２４】
コンテンツデータをミュージックサーバ４からダウンロードする際に、属性情報としてランキング情報を追加して取得すれば、ユーザは、現在人気の高いコンテンツを容易に検索することができる。また、属性情報としてアーティストリンク情報を追加して取得すれば、選択したコンテンツのアーティストに関連のある他のアーティストを知ることができ、この関連アーティストのコンテンツも容易に検索することができる。さらに、再生装置１において再生されたコンテンツデータの履歴を保存しておけば、ユーザのお気に入りのコンテンツを容易に検索することができる。
【００２５】
２．再生装置の構成について
図２は、この発明に適用できる携帯用の再生装置１の一例の外観を示す。再生装置１の正面は、概略的には、例えばＬＣＤ(Liquid Crystal Display)を表示素子として用い、ユーザに対して情報を表示する表示部１０と、複数のキーが設けられ、ユーザからの操作を受け付ける操作部２０とからなる。
【００２６】
表示部１０は、例えばドット単位での表示制御が可能で、テキストや簡易なキャラクタ、アイコンなどを表示させることができる。また、表示部１０は、図３Ａに一例が示されるように、メイン表示領域７１Ａとサブ表示領域７１Ｂとの２つの表示領域に分割して用いることができる。メイン領域７１Ａは、例えばメニュー画面や様々なリスト画面などの表示のために用いられる。また、メイン表示領域７１Ａは、その他のメッセージなども適宜、表示される。サブ表示領域７１Ｂは、例えば現在再生装置１で再生中のコンテンツに関する情報を表示するために用いられる。
【００２７】
メイン表示領域７１Ａにメニュー画面やリスト画面が表示されている場合、カーソル表示によって、現在選択中の項目が示される。図３Ｂは、メイン表示領域７１Ａに対して表示されたリスト画面に対してカーソル表示７０が表示された例を示す。カーソル表示７０は、例えばマイコン４１により生成された、所定の位置にカーソル表示を行わせる表示制御信号が、システムゲートアレイ３６およびバス３４を介して表示制御部３５に供給され、表示制御部３５においてこの表示制御信号に基づき表示部１０が駆動されることにより、表示される。カーソル表示７０の位置は、例えばキー１３の上および／または下方向キーなどを操作することで、移動ならびに指定される。
【００２８】
この図３Ｂの例では、コンテンツ名の表示色を反転表示することで、カーソル表示７０としている。カーソル表示７０の表示方法は、この例に限られない。すなわち、カーソル表示は、コンテンツ名に対応する位置に表示されればよく、一例として、コンテンツ名の先頭に所定のマークを表示することでカーソル表示とすることができる。
【００２９】
また、装置の上面には、ホールドスイッチ１６と、コネクタ部１７とが設けられる。ホールドスイッチ１６は、操作部２０に対する操作の有効および無効を切り換える。コネクタ部１７は、例えばＰＣ２といった外部の機器とディジタルデータのやりとりを行うためのコネクタと、再生装置１で再生されたアナログ音声信号を出力するためのヘッドフォン端子とが設けられる。
【００３０】
操作部２０に設けられる各キーについて説明する。各キーは、例えば押圧されることでそれぞれのキーを示す制御信号が出力される。また、各キーは、押圧時間の長短に応じて異なる機能を割り当てることができる。例えば、キーを押圧し続ける時間が所定時間以上の場合（長押しと呼ぶ）と、所定時間以下の場合（短押しと呼ぶ）とで、異なる機能を割り当てることができる。短押しの場合、キーが押圧されてから所定時間以内にキーに対する押圧が無くなったタイミングで、機能が実行される。一方、長押しの場合、キーが所定時間以上押圧され続けた際に、機能が実行される。また、短押しのみが定義されているキーは、押圧されたタイミングで機能が実行される。さらに、キーが所定時間以上押圧され続けた場合に、自動的に当該キーが繰り返し押圧されたように定義することも可能である（キーリピートと呼ぶ）。
【００３１】
キー１１Ａおよび１１Ｂは、それぞれコンテンツデータの再生音量を増加および減少させるボリュームキーである。キー１１Ａまたは１１Ｂを短押しする度に、音量が１ステップずつ変化する。キー１１Ａおよび１１Ｂは、キーリピートが有効とされる。
【００３２】
キー１２Ａ、１２Ｂおよび１２Ｃは、主に、コンテンツデータの再生制御を行うためのキーである。キー１２Ａは、短押しで、コンテンツデータの再生および一時停止を順次、指示する。キー１２Ａを長押しすることで、再生装置１の動作モードがスリープモードに遷移される。キー１２Ｂは、短押しで、次のコンテンツデータの再生を指示し、長押しで、現在再生中のコンテンツデータの早送り再生を指示する。同様に、キー１２Ｃは、短押しで、前のコンテンツデータの再生を指示し、長押しで、現在再生中のコンテンツデータの早戻し再生を指示する。
【００３３】
キー１３は、中央部のエンターキー１３Ａと、エンターキー１３Ａの周囲に配置された上下左右を示す矢印キー（それぞれ上方向キー、下方向キー、左方向キーおよび右方向キーと呼ぶ）とからなる５方向キーであって、主に、表示部１０に表示された画面に対応した動作を指示する。
【００３４】
エンターキー１３Ａは、表示部１０の画面が現在コンテンツを再生中であることを示す画面であれば、短押しで、現在再生中のコンテンツの再生および一時停止を順次、指示する。一方、エンターキー１３Ａは、表示部１０の画面が現在コンテンツを再生中であることを示す画面以外の画面であれば、表示部１０において現在選択中とされている項目を決定する。また、エンターキー１３Ａは、表示部１０の表示がコンテンツのリスト表示であれば、リストにあるコンテンツに対する一括再生を指示する。
【００３５】
キー１３のキーのうち、上方向キーおよび下方向キーは、短押しで、表示部１０において選択されている項目を、それぞれ上方向および下方向に切り換える。また、上方向キーおよび下方向キーは、長押しで、表示部１０がリスト表示の際のリストの高速スクロールを指示する。上方向キーおよび下方向キーは、長押しの機能が実行されるまで、キーリピートが有効とされる。したがって、上方向キーおよび下方向キーを用いて、画面の表示を例えば上下にスクロールさせることができる。
【００３６】
キー１３のキーのうち、左方向キーおよび右方向キーは、短押しで、表示部１０において選択されている項目を、それぞれ左方向および下方向に切り換える。また、表示部１０の表示画面が複数ページを持つ場合、左方向キーおよび右方向キーは、ページの切り換えを指示することができる。左方向キーおよび右方向キーは、長押しが定義されないと共に、キーリピートが有効とされる。
【００３７】
ディスカバリキー１４は、短押しで、アーティストリンク情報を用いたアーティストリンク機能の呼び出しを指示する。また、ディスカバリキー１４は、長押しで、アーティストリンク機能を呼び出し、表示部１０に表示される全てのアーティストのコンテンツの再生を指示する。アーティストリンク機能の詳細については、後述する。
【００３８】
キー１５は、短押しで、再生装置１に対してなされた操作の履歴を戻ることを指示し、長押しで、表示部１０に対してトップメニューを表示させる。
【００３９】
なお、上述したキー１３〜キー１５の機能は、一例であって、この例に限定されない。キー１３〜１５のそれぞれは、動作状態に応じた機能をソフトウェア的に割り当てることができる。
【００４０】
図４は、再生装置１の一例の構成を示す。この図４の例では、再生装置１は、３つのバス３０、３４および４０を有する。バス３０は、ハードディスクドライブ（ＨＤＤ）３２、ＵＳＢ(Universal Serial Bus)インターフェイス（Ｉ／Ｆ）３３およびシステムゲートアレイ３６が接続され、主にコンテンツデータが転送される。ＵＳＢコントローラ３３は、ＵＳＢコネクタ３１が接続され、ＵＳＢコネクタ３１に接続された外部の機器との通信を制御する。
【００４１】
バス３４は、ＵＳＢコントローラ３３、表示制御部３５およびシステムゲートアレイ３６が伝送され、主にコマンドが転送される。表示制御部３５は、バス３４を介して供給された表示制御信号に基づき、例えばＬＣＤからなる表示部１０を駆動し、表示制御信号に応じた画面を表示部１０に表示させる。
【００４２】
また、バス４０は、マイコン（マイクロコンピュータ）４１、システムゲートアレイ３６およびＲＯＭ(Read Only Memory)４２が接続され、主にコマンドが転送される。マイコン４１は、リアルタイムクロック（ＲＴＣ）４６および操作部２０が接続される。制御部２０は、上述した各キー１１〜１５に対する操作に応じた制御信号を生成し、マイコン４１に供給する。マイコン４１は、例えばＲＯＭ４２に予め記憶されたプログラムに従い、操作部２０から供給された制御信号に応じて、この再生装置１の全体を制御する。また、マイコン４１は、プログラムに従い所定に表示制御信号を生成する。
【００４３】
また、マイコン４１は、内部にＤ／Ａ変換（ＤＡＣ）部４４を有し、後述するデコーダ４３から供給されたオーディオデータをアナログオーディオ信号に変換してヘッドフォン（ＨＰ）アンプ４５に供給する。
【００４４】
なお、ＲＯＭ４２は、書き換えが可能な例えばＥＥＰＲＯＭ(Electrically Erasable Programmable Read Only Memory)であって、記憶されるプログラムを更新することができるようになっている。更新するためのプログラムは、例えば外部のコンピュータ装置からＵＳＢコネクタ３１を介して供給される。
【００４５】
なお、この再生装置１は、このように、マイコン４１により、ＲＯＭ４２に格納されたプログラムに従い制御されるので、実質的にコンピュータ装置であると考えることができる。
【００４６】
システムゲートアレイ３６は、バス３０、３４および４０間のデータやコマンドのやりとりを制御する。また、システムゲートアレイ３６に、ＲＡＭ３７と、圧縮符号化されたオーディオデータをデコードするデコーダ４３とが接続される。ＲＡＭ３７は、マイコン４１のワークメモリとして用いられると共に、デコーダ４３でデコードするためのオーディオデータのバッファとしても用いられる。例えば、ＲＡＭ３７は、１６ＭＢ(Mega Byte)の記憶容量を有し、そのうち１２ＭＢの所定領域がオーディオデータのバッファメモリ領域として確保される。
【００４７】
リモコン端子４７は、この再生装置１を有線で遠隔操作すると共に、ヘッドフォン端子が設けられるリモートコントロールコマンダが接続される。ヘッドフォンアンプ４５から出力されたアナログオーディオ信号がリモコン端子４７に導出される。また、システムゲートアレイ３６とリモコン端子４７とが接続され、リモートコントロールコマンダに対する操作に応じた制御信号は、リモコン端子４７から入力され、システムゲートアレイ３６およびバス４０を介してマイコン４１に供給される。
【００４８】
なお、上述したＵＳＢ端子３１およびリモコン端子４７は、図２に一例が示される、コネクタ部１７に設けられる。また、図示は省略するが、ホールドスイッチ１６は、マイコン２０に接続される。
【００４９】
なお、上述では、再生装置１とＰＣ２とが有線接続されるように説明したが、これはこの例に限定されない。例えば、バス３０に対して無線通信を制御する無線通信Ｉ／Ｆを接続し（図示しない）、この無線通信によって再生装置１とＰＣ２との間でのコマンドのやりとりや、ＰＣ２から再生装置１に対するコンテンツデータの転送などを行うことができる。
【００５０】
図５は、この再生装置１に適用可能なアーキテクチャを概略的に示す。ＵＩ(User Interface)タスク６０は、表示部１０に対する表示や、操作部２０に対する操作に応じた制御信号の生成など、ユーザインターフェイスを司る。例えば、操作部２０のキー１３に対する操作に応じたカーソル表示の制御や、オーディオデータの再生制御を行うキー１２Ａ〜１２Ｃに対する操作に応じた制御命令の生成などは、ＵＩタスク６０において行われる。再生制御命令としては、プレイ（再生）、ストップ（再生停止）、フィードフォワード（再生しながら早送り）、リワインド（再生しながら早戻し）、キュー（再生せずに所定位置まで進める）、レビュー（再生せずに所定位置まで戻す）、ポーズ（再生一時停止）などがある。
【００５１】
プレーヤタスク６１は、ＵＩタスク６０の下位に位置し、コンテンツデータの再生に関する管理を司る。プレーヤタスク６１は、例えば、ＵＩタスク６０からの指示に応じて、後述するデータベースとのやりとりを行って再生コンテンツを把握し、より下位のタスクにコンテンツデータの再生制御命令を出す。また、プレーヤタスク６１は、現在のプレイモードを常に把握しており、ＵＩタスク６０に対してプレイモードを返すと共に、プレイモードに応じた再生制御を行う。
【００５２】
なお、ここでは、プレイモードは、コンテンツの再生順に関する動作モードをいい、例えば、リストに示される順に再生するノーマルモード、再生順をランダムに入れ替えるシャッフルモードなどである。
【００５３】
バッファタスク６２、データベース（ＤＢ）管理タスク６３およびデコーダコントロールタスク６５は、それぞれプレーヤタスク６１の下位に位置する。バッファタスク６２は、ＲＡＭ３７のバッファメモリ領域の読み出しおよび書き込みの制御や、ハードディスクドライブ３２からオーディオデータを読み出す際の読み出し制御を行う。また、バッファタスク６２は、バッファメモリに溜め込まれたオーディオデータのヘッダ情報の解析を行う。バッファメモリは、バッファタスク６２によって、先頭アドレスと最終アドレスとが論理的に接続されたリングバッファとして制御される。
【００５４】
データベース管理タスク６３は、ハードディスクドライブ３２に記録されたコンテンツデータの管理を行う。例えば、ハードディスクドライブ３２に記録されたコンテンツデータを識別するための識別情報（ＩＤ）と、当該コンテンツデータの記録場所を表す情報や、当該コンテンツデータの属性情報とを関連付けて管理する。また、データベース管理タスク６３は、アーティストリンク情報の管理も行う。データベース管理タスク６３で管理されるデータベースの詳細は、後述する。
【００５５】
デコーダコントロールタスク６５は、デコーダ４３によるオーディオデータのデコード処理を制御する。デコーダコントロールタスク６５による制御は、例えば、バッファタスク６２による処理と連動してなされる。
【００５６】
ＯＳ(Operating System)６８は、ＵＩタスク６０、プレーヤタスク６１、バッファタスク６２、デコーダコントロールタスク６５およびデータベース管理タスク６３といったＯＳ６８に対して上位のタスクを統合的に管理すると共に、各タスクに対してソフトウェアの基本的な機能を提供する。例えば、ＯＳ６８は、ハードディスクドライブ３２上に記録されるファイルを管理するためのファイルシステムを、上位の各タスクに対して提供する。ファイルシステムは、例えばハードディスクドライブ３２の記録領域の論理アドレス単位での管理や、ハードディスクドライブ３２上のファイル管理などを行い、ハードディスクドライブ３２に対するデータの読み書きの仕組みを提供する。
【００５７】
また、ＯＳ６８は、再生装置１を構成する各ハードウェアを管理し、これら上位タスクと再生装置１のハードウェア６９との間の仲介的な処理を行う。例えば、ＯＳ６８は、ハードディスクドライブ３２の制御を行うＨＤＤドライバ６４、ＲＡＭ３７のバッファメモリ領域に対する読み書きの制御を行うバッファ制御部６６、デコーダ４３の制御を行うデコーダ制御部６７などを有する。
【００５８】
この図５に示すＯＳ６８および各タスク６０〜６５は、ＲＯＭ４２および／またはハードディスクドライブ３２に記憶または記録されるプログラムに従うマイコン４１の動作により、実現される。
【００５９】
このような構成において、再生装置１とＰＣ２とがＵＳＢケーブルで接続されると、ＵＳＢコントローラ３３は、ＰＣ２との間で所定にやりとりを行い、再生装置１をＰＣ２からリムーバブルなハードディスクドライブとして認識されるようにする。すなわち、ＰＣ２は、ＰＣ２内のハードディスクドライブに格納されたコンテンツデータを、ＰＣ２に搭載されるＯＳが提供するファイルコピー機能を用いて、再生装置１のハードディスクドライブ３２に記録させることができる。
【００６０】
ＰＣ２からは、コンテンツデータとコマンドとがＵＳＢケーブルを介して送信される。これらコンテンツデータおよびコマンドは、ＵＳＢコントローラ３３に受信される。受信されたコンテンツデータは、ＵＳＢコントローラ３３により、バス３０を介してハードディスクドライブ３２に転送され、ハードディスクドライブ３２に書き込まれる。また、受信されたコマンドは、マイコン４１により、ＵＳＢコントローラ３３からシステムゲートアレイ３６を介して取り込まれる。
【００６１】
再生の際の処理について説明する。例えば、マイコン４１によりハードディスクドライブ３２に記録されたコンテンツのデータベースが参照され、コンテンツのリストを表示するための表示制御信号が生成される。この表示制御信号は、システムゲートアレイ３６およびバス３４を介して表示制御部３５に供給され、表示部１０を駆動するための駆動信号に変換される。この駆動信号は、表示部１０に供給され、表示制御信号に応じて、再生可能なコンテンツデータのリストが所定に表示される。
【００６２】
ユーザにより、例えば表示部１０の表示に基づき操作部２０が所定に操作され、再生させたいコンテンツデータが選択される。この操作に応じた制御信号が操作部２０から出力される。マイコン４１は、操作部２０から出力される制御信号をモニタしており、再生指示を示す制御信号が取り込まれると、再生が指示されたコンテンツデータを読み出す旨を命令するコマンドを発行する。このコマンドは、システムゲートアレイ３６およびバス３０を介してハードディスクドライブ３２に送信される。
【００６３】
ハードディスクドライブ３２から読み出されたコンテンツデータは、バス３０を介してシステムゲートアレイ３６に供給される。システムゲートアレイ３６は、供給されたコンテンツデータを、ＲＡＭ３７のバッファメモリ領域に溜め込む。また、システムゲートアレイ３６は、ＲＡＭ３７のバッファメモリ領域に溜め込まれたコンテンツデータを所定量毎に読み出し、デコーダ４３に転送する。マイコン４１は、ＲＡＭ３７のバッファメモリ領域に溜め込まれたコンテンツデータの量を監視し、溜め込まれているデータ量が一定量以下になったら、システムゲートアレイ３６およびバス３０を介して、ハードディスクドライブ３２に対してコンテンツデータの読み出しを行うように命令を出す。
【００６４】
デコーダ４３は、転送されたコンテンツデータを復号化してベースバンドのオーディオデータとしてマイコン４１に転送する。マイコン４１は、デコーダ４３から転送されたオーディオデータに対して必要に応じて所定に音響処理を施し、ＤＡＣ部４４によりＤ／Ａ変換してアナログオーディオ信号として出力する。アナログオーディオ信号は、ＨＰアンプ４５に供給され、増幅処理されてリモコン端子４７に導出される。
【００６５】
次に、ハードディスクドライブ３２に記録されたコンテンツデータを管理するためのデータベースについて説明する。このデータベースは、上述したデータベース管理タスク６３により管理されるものである。図６は、このデータベースにおけるコンテンツデータの属性情報を管理するための属性情報テーブルの一例の構成を示す。
【００６６】
コンテンツ属性情報テーブルのレコードは、フィールド「コンテンツＩＤ」、フィールド「アルバムＩＤ」、フィールド「アーティストＩＤ」、フィールド「ジャンルＩＤ」、フィールド「リリース情報」、フィールド「再生頻度」、フィールド「レイティング」、フィールド「ランキング情報」、フィールド「セールス情報」およびフィールド「登録日」からなる。
【００６７】
フィールド「コンテンツＩＤ」は、コンテンツ毎にユニークな識別子が格納される。フィールド「アーティストＩＤ」は、対応するコンテンツＩＤのコンテンツを例えば演奏するアーティストの識別子である。フィールド「リリース情報」は、当該コンテンツＩＤのコンテンツがリリースされた年月日が格納される。一般的には、フィールド「リリース情報」で示される年月日は、当該コンテンツＩＤで示されるコンテンツが収録されるアルバムのリリース日と同一である。
【００６８】
フィールド「再生頻度」は、例えば当該レコードのコンテンツが再生される毎に"１"が加算される。
【００６９】
フィールド「レイティング」は、例えば当該レコードのコンテンツに対するユーザのお気に入り度である。例えば、再生装置１において、コンテンツの再生履歴を収集し、この再生履歴に基づきお気に入り度を求める。一例として、再生履歴から、各コンテンツの再生回数やスキップ回数などを求め、これらの値からお気に入り度を計算する。なお、スキップは、コンテンツの全長を再生せずに、途中で再生を停止させたような場合をいう。コンテンツの全長を再生したか否か、スキップした場合、コンテンツの全長のうち何％を再生したかなどにより、お気に入り度を求めることもできる。
【００７０】
フィールド「ランキング情報」は、例えば、不特定多数のユーザによるコンテンツに対する反応を、所定の方法で集計した情報に基づく。例えば、ランキング情報として、コンテンツの売り上げ数を示す情報を用いることができる。また、ラジオ局などにおける、コンテンツに対するリクエスト数や、コンテンツを試聴することができるようにされたＷｅｂサイトなどにおける試聴数を示す情報をランキング情報として用いることができる。さらに、所定の方法で集計された順位を示す情報（「今週のトップ１０」など）をランキング情報として用いることも可能である。
【００７１】
フィールド「セールス情報」は、当該レコード内のフィールド「アルバムＩＤ」で示されるアルバムの売り上げ情報が格納される。
【００７２】
フィールド「登録日」は、例えばそのレコードの情報がデータベースに登録された日時および当該情報が更新された日時が記述される。
【００７３】
この図６の例では、レコードの各フィールドに格納される値は、それぞれ実データに対するポインタ情報がＩＤとして格納される。例えば、各フィールドは、それぞれ実データが格納される他のテーブルのレコードへのポインタ情報が格納され、全体としてリレーショナルデータベースを構成する。コンテンツＩＤは、コンテンツデータ毎にユニークな値とされ、属性情報テーブルの各レコードは、コンテンツＩＤによって実コンテンツデータと関連付けられる。なお、データベースの構成はこの例に限らず、フィールド「コンテンツＩＤ」以外の各フィールドに対して実データを格納することも可能である。
【００７４】
フィールド「ランキング情報」およびフィールド「セールス情報」は、所定のタイミングで更新される。例えば、ミュージックサーバ４からＰＣ２に対して新たなコンテンツデータをダウンロードする際に、ＰＣ２に格納されているコンテンツデータのそれぞれに対するランキング情報や、アルバムＩＤに対応するセールス情報を共にダウンロードし、ＰＣ２から再生装置１にコンテンツデータを転送する際にこのランキング情報やセールス情報も転送し、データベースを更新する。
【００７５】
ランキング情報やセールス情報の取得方法は、この方法に限られない。例えば、ミュージックサーバ４からインターネット３に対して、ランキング情報およびセールス情報を定期的に送信することも考えられる。ＰＣ２は、ミュージックサーバ４から送信されたランキング情報およびセールス情報を受信すると、受信した情報を一旦、ＰＣ２のハードディスクドライブなどに保存する。そして、次に再生装置１とＰＣ２とが接続された際に、ＰＣ２に保存されたランキング情報およびセールス情報を再生装置１に転送する。
【００７６】
なお、この図６に示される属性情報テーブルの構成は、この発明を実施可能とする一例であって、これに限られるものではない。
【００７７】
データベース管理タスク６３は、さらに、アーティストリンク情報の管理も行う。アーティストリンク情報は、例えば、あるアーティストＡに対して、関連するアーティストＢ、Ｃ、・・・の情報を関連付けたものである。一例として、アーティストＡがアルバムＺの制作をアーティストＢ、アーティストＣと共同で行ったような場合、アーティストＡに対して、アーティストＢおよびＣが関連アーティストであるとすることができる。また、あるアーティストＡのスタイルなどに基づき、他のアーティストを関連付けることもできる。例えば、あるアーティストＡの主要コンテンツの曲調やテンポに基づき、他のアーティストを関連付ける。さらに、あるアーティストＡの活躍した年代などに基づき他のアーティストを関連付けることもできる。
【００７８】
アーティストリンク情報は、対象となるアーティストに対する関連の度合いに応じて、段階的に設定することができる。例えば、あるアーティストＡに対して、強い関連があるアーティストＢ、Ｃ、Ｄ、・・・の情報からなる第１のアーティストリンク情報と、弱い関連があるアーティストＯ、Ｐ、Ｑ、・・・の情報からなる第２のアーティストリンク情報とが関連付けられる。一例として、データベース管理タスク６３に管理されるアーティスト情報のそれぞれに対して、これら２種類のテーブルをそれぞれ作成する。また、データベース管理タスク６３に管理されるアーティスト情報全てをマトリクス状に配置し、マトリクスのそれぞれに対して関連度を設定することも考えられる。アーティストリンク情報の構成は、これらの例に限られない。
【００７９】
アーティストリンク情報は、例えばミュージックサーバ４側のサービスとしてユーザ側に提供され、ミュージックサーバ４からインターネット３を介してＰＣ２にダウンロードされ、ＰＣ２から再生装置１に転送されハードディスクドライブ３２に記録される。一例として、ＰＣ２からミュージックサーバ４に対して、ＰＣ２のハードディスクドライブや、再生装置１のハードディスクドライブ３２に記録されているコンテンツのリストを送信する。ミュージックサーバ４は、このコンテンツのリストに基づき属性情報を参照してアーティストリンク情報を作成し、ＰＣ２に送信する。これに限らず、アーティストリンク情報をユーザ側で作成することもできる。
【００８０】
３．カーソル表示のデフォルト位置の設定方法について
次に、この発明の実施の一形態による、コンテンツ選択を行う画面における、カーソル表示のデフォルト位置の設定方法について説明する。この発明に適用される再生装置１は、コンテンツの再生動作に関し、コンテンツの全長を再生の対象とする通常再生モードと、コンテンツの所定の部分のみを再生の対象とするプレビュー再生モードの、２種類の再生モードを有する。
【００８１】
３−１．通常再生モード時におけるカーソル表示のデフォルト位置設定方法について
先ず、通常再生モード時における、カーソル表示のデフォルト位置の設定方法の例について説明する。図７は、通常再生モードにおける、表示部１０に表示される画面の一例の遷移を概略的に示す。なお、図７において、遷移を示す矢印に付された符号Ｅ、Ｂ、ＵおよびＤは、それぞれ操作部２０におけるエンター(Enter)キー１３Ａ、バック(Back)キー１５、ならびに、キー１３の上方向(Up)キーおよび下方向(Down)キーの操作を示す。
【００８２】
この実施の一形態において、表示部１０に表示される画面は、階層的に構成される。コンテンツ選択のための画面遷移に関し、説明のために便宜的に定義した階層を図７の右端側に示す。以下では、コンテンツ選択のための画面は、上位から、メニュー層、大分類層、中分類層、小分類層、アルバム層、コンテンツリスト層およびコンテンツ層の順に階層化されているものとして説明する。
【００８３】
メニュー層は、再生装置１の様々な機能を呼び出すためのメニュー画面１００が表示される階層であって、コンテンツを選択するための画面も、このメニュー画面１００から呼び出される。メニュー画面１００において、コンテンツ検索機能を呼び出した場合、階層が大分類層に遷移する。大分類層以下の階層がコンテンツの検索に関する階層となる。
【００８４】
大分類層は、コンテンツを分類するためのカテゴリが示される。カテゴリは、例えば図６を用いて説明したようなコンテンツの属性に対応する。図７の例では、図７の上部側に示されるように、コンテンツ、アルバム、アーティスト、ジャンル、レイティングおよびリリース日時がカテゴリとされている。大分類層以下の中分類層および小分類層は、大分類層のカテゴリがさらに分類可能である場合に、分類された項目のそれぞれが示される。アルバム層は、アルバム単位で検索を行う場合に、カテゴリそれぞれの方法で分類されたアルバムのリストが表示される。コンテンツリスト層は、カテゴリそれぞれの方法で分類されたコンテンツがリスト表示される。コンテンツ層は、コンテンツリスト層から最終的に選択されたコンテンツが表示される。
【００８５】
この発明の実施の一形態では、上述の大分類層からコンテンツリスト層までの表示において、ユーザが選択することの想定される項目に自動的にカーソル表示を配置させ、ユーザのカーソル移動の手間を省くようにしている。またこれにより、例えばユーザが漠然とコンテンツの検索操作を行っているような場合でも、ユーザが好むと考えられるコンテンツを自動的に選択することができる。
【００８６】
図８を用いて、この実施の一形態による、通常再生モードにおけるコンテンツ検索の一例の処理について、概略的に説明する。表示部１０に対して、図７のコンテンツ層の画面以外が表示されている場合において、ユーザにより、操作部２０の所定のキー、例えばエンターキー１３Ａの操作が待機される（ステップＳ１０）。なお、メニュー画面１００が表示されている場合には、コンテンツ検索機能が予め選択されているものとする。
【００８７】
ステップＳ１０でエンターキー１３Ａが操作されたら、処理はステップＳ１１に移行し、表示部１０の現在の画面がコンテンツリストが表示されるコンテンツリスト画面（図７のコンテンツリスト層の画面）であるか否かが判断される。現在の画面がコンテンツリスト画面ではないと判断されれば、処理はステップＳ１２に移行され、表示部１０に表示される画面が、現在の画面に表示されるカーソル表示７０の位置に対応した、より下位の画面に切り換えられる。そして、次のステップＳ１３で、切り換えられた画面におけるカーソル表示７０の位置が決められる。
【００８８】
このステップＳ１３では、所定の情報に基づきカーソル表示７０の位置が決められる。所定の情報としては、例えば以下に示す３種類が考えられる。
（１）コンテンツに関する時間情報
（２）コンテンツの供給側から提供される情報
（３）コンテンツの再生に伴い生成される情報
【００８９】
図６を用いて説明したコンテンツの属性情報にこれらの情報を適用させると、以下のようになる。（１）の、コンテンツに関する時間情報の例としては、リリース情報や登録日を適用することができる。（２）の、コンテンツの供給側から提供される情報の例としては、セールス情報やランキング情報を適用することが考えられる。また、（３）の、コンテンツの再生に伴い生成される情報の例としては、レイティングや再生頻度を適用することが考えられる。
【００９０】
ステップＳ１３では、これらの所定の情報を用いて、ユーザにより選択されることが想定される項目を検出し、検出された項目に対応する位置にカーソル表示７０を配置する。
【００９１】
ステップＳ１３でカーソル表示７０の位置が決められたら、次のステップＳ１４で、表示部１０において、ステップＳ１３で決められた位置にカーソル表示７０が自動的に移動され、処理はステップＳ１０に戻される。
【００９２】
一方、上述のステップＳ１１で、現在表示されている画面がコンテンツリスト画面であると判断されれば、処理はステップＳ１５に移動される。ステップＳ１５では、表示部１０の表示をコンテンツ画面に切り換え、ステップＳ１１のコンテンツリスト画面におけるカーソル表示７０の位置に対応したコンテンツ情報を表示すると共に、当該コンテンツを例えば通常再生モードで再生する。
【００９３】
図７および図９〜図１７を用いて、より具体的に説明する。当初、表示部１０には、メニュー画面１００が表示されている。メニュー画面１００は、図９Ａに一例が示されるように、メイン表示領域７１Ａに対して、再生装置１が有する各機能がそれぞれアイコンで示されている。カーソル表示７０により、現在選択中の機能が示される。また、メイン表示領域７１Ａの下端部に、現在選択中の機能がテキストで示される。図９Ａの例では、メイン表示領域７１Ａに対して、それぞれ異なる機能を呼び出すためのアイコンが３行３列の計９個、表示されている。
【００９４】
メニュー画面１００において、コンテンツ検索機能のアイコン（図７の例では、９個のアイコンのうち中央とする）にカーソル表示７０が配置されている状態で、所定のキー（例えばエンターキー１３Ａ）を操作すると、コンテンツ検索機能が呼び出され、表示部１０の表示が図９Ｂに一例が示されるカテゴリ画面１０１に切り換えられる。カテゴリ画面１０１は、コンテンツの検索を行うカテゴリがリスト表示される。この図９Ｂの例では、カテゴリとして、「All Songs」、「Albums」、「Artists」、「Genres」、「Ratings」、「Year of Release」および「New Tracks」がリスト表示されている。
【００９５】
カテゴリ「All Songs」は、再生装置１に記録された全てのコンテンツに対して直接的に検索を行う。カテゴリ「Albums」は、アルバムに注目して検索を行う。カテゴリ「Artists」は、アーティストに注目して検索を行う。カテゴリ「Genres」は、コンテンツの音楽ジャンルに注目して検索を行う。カテゴリ「Rating」は、コンテンツのレイティングに注目して検索を行う。カテゴリ「Year of Release」は、リリース年に注目して検索を行う。カテゴリ「New Tracks」は、登録日に注目して検索を行う。
【００９６】
カテゴリ画面１０１において、カテゴリ「All Songs」が選択された場合について説明する。リスト表示のカテゴリ「All Songs」に対応する位置にカーソル表示７０を移動させ、エンターキー１３Ａを操作すると、表示部１０の表示が図１０Ａに一例が示されるコンテンツリスト画面１０２に切り替わる。コンテンツリスト画面１０２は、再生装置１に記録されている全てのコンテンツが所定の順序にソーティングされて一覧表示される。カーソル表示７０は、最もレイティングが高いコンテンツ（"Imagine"とする）に自動的に配置される。
【００９７】
なお、ソーティングは、例えば名称（図１０Ａの例ではコンテンツ名）のアルファベット順になされる。この例に限らず、他の順序で名称を並べ替え、ソーティングを行ってもよい。例えば、表示される名称について、読み方の５０音順にソーティングを行ってもよい。
【００９８】
この、カテゴリ画面１０１からカテゴリ「All Songs」を選択して直接的に表示されるコンテンツリスト画面１０２においては、表示対象のコンテンツ数が非常に多いことが想定される。そのため、この図１０Ａの例では、コンテンツ名の先頭のアルファベットに関して、"A"から順に所定文字数を一組として分類がなされる。例えば、コンテンツ名が、当該コンテンツ名の先頭のアルファベットに基づき、「ABC」、「DEF」、・・・、「WXYZ」の組に分類される。キー１３の左方向キーまたは右方向キーを操作することで、このアルファベットの組を切り換え、リストの内容も、切り換えられたアルファベットの組に対応するコンテンツ名のリストに切り換えられる。
【００９９】
また、この図１０Ａの例では、コンテンツリスト画面１０２の左端にサイドバー７２が表示され、現在選択されているコンテンツ名が、当該コンテンツ名が分類されている組（図１０Ａの例ではコンテンツ名の先頭のアルファベットが「GHI」の何れかである組）の全てのコンテンツのうち、どの位置にあるかが概略的に示される。また、例えばキー１３の上方向または下方向キーを操作することで、コンテンツリスト画面１０２の表示内容がスクロールされ、コンテンツリスト画面１０２の１画面中に表示しきれないコンテンツ名が画面内に表示できるようになる。
【０１００】
なお、上述のコンテンツ名の先頭のアルファベットに基づく分類およびキー１３による切り換えと、サイドバー７３の表示とキー１３によるスクロールは、コンテンツリスト画面、アルバムリスト画面、アーティストリスト画面など、他のリスト画面においても同様とする。
【０１０１】
コンテンツリスト画面１０２において、例えばエンターキー１３Ａを操作すると、表示部１０の表示が図１０Ｂに一例が示されるコンテンツ画面１０３に切り替わる。コンテンツ画面１０３は、コンテンツリスト画面１０２においてエンターキー１３Ａが操作された時点でカーソル表示７０が配置される位置に対応したコンテンツに関する情報を表示する。それと共に、当該コンテンツ画面１０３に情報が表示されるコンテンツが再生装置１において再生される。
【０１０２】
なお、コンテンツリスト画面１０２において、例えばバックキー１５を操作することで、表示部１０の表示が直前の画面であるカテゴリ画面１０１に切り替わる。
【０１０３】
図１０Ｂにおいて、メイン表示領域７１Ａに、コンテンツ名が表示されると共に、当該コンテンツ名で示されるコンテンツに関して、収録されるアルバム名、アーティスト名および属する音楽ジャンルがそれぞれ情報の意味を示すアイコンを伴って表示される。メイン表示領域７１Ａには、さらに、当該コンテンツのレイティング情報が星印で以て表示されると共に、リリース年情報が表示される。
【０１０４】
なお、以下の例では、音符を模したアイコンがコンテンツ名、ディスクを模したアイコンがアルバム名、人間のバストアップを模したアイコンがアーティスト名、ならびに、音符を模した図案を枠で囲んだアイコンがジャンルをそれぞれ示す。このようなアイコンの意味は、表示部１０に表示される各画面において、それぞれ共通とする。
【０１０５】
また、コンテンツ画面１０３のメイン表示領域７１の上端部には、この画面に表示されているコンテンツを現在再生中であることがテキストで示されると共に、サブ表示領域７１Ｂは、当該コンテンツが再生されてからの経過時間情報と、当該コンテンツ画面１０３が属するカテゴリ（カテゴリ「All Songs」）とが表示される。
【０１０６】
次に、カテゴリ画面１０１において、カテゴリ「Albums」が選択された場合について説明する。リスト表示のカテゴリ「Albums」に対応する位置にカーソル表示７０を移動させ、エンターキー１３Ａを操作すると、表示部１０の表示が図１１Ａに一例が示されるアルバムリスト画面１０４に切り替わる。アルバムリスト画面１０４は、属性情報テーブルに記述されている全てのアルバムＩＤについて、対応するアルバム名が所定の順序にソーティングされて一覧表示される。ソーティングは、例えばアルバム名のアルファベット順や読みの５０音順になされる。
【０１０７】
カーソル表示７０は、例えば再生装置１において最も再生頻度が高いアルバムＩＤのアルバム名（"Imagine"とする）に対応する位置に自動的に配置される。この場合、例えば属性情報テーブルの再生頻度をアルバムＩＤ毎に集計し、最も値が大きいアルバムＩＤに対応するアルバム名を求める。
【０１０８】
アルバムリスト画面１０４において、例えばエンターキー１３Ａを操作すると、表示部１０の表示が、図１１Ｂに一例が示されるアルバム収録コンテンツリスト画面１０５に切り替わる。アルバム収録コンテンツリスト画面１０５には、アルバムリスト画面１０４においてエンターキー１３Ａを操作した時点でカーソル表示７０が配置される位置に対応したアルバムに収録されるコンテンツのリストが表示される。
【０１０９】
図１１Ｂにおいて、この画面１０５の構成は、基本的には、上述したコンテンツ画面１０３の構成と同様である。すなわち、メイン表示領域７１Ａに対して、直前に表示されていたアルバムリスト画面１０４においてカーソル表示７０が配置されたアルバムに収録されたコンテンツがアルバム収録順にソーティングされて表示される。カーソル表示７０は、最もレイティングの高いコンテンツ（"Imagine"とする）に自動的に配置される。
【０１１０】
アルバム収録コンテンツリスト画面１０５において、例えばエンターキー１３Ａを操作すると、表示部１０の表示が、エンターキー１３Ａを操作した時点でカーソル表示７０が配置される位置に対応したコンテンツに関する情報を表示する、上述したコンテンツ画面１０３に切り替わる。それと共に、当該コンテンツ画面１０３に情報が表示されるコンテンツが再生装置１において再生される。
【０１１１】
なお、アルバムリスト画面１０４およびアルバム収録コンテンツリスト画面１０５の表示中にバックキー１５を操作することで、表示部１０の表示がそれぞれ直前に表示されていた画面に切り換えられる。
【０１１２】
次に、カテゴリ画面１０１において、カテゴリ「Artists」が選択された場合について説明する。リスト表示のカテゴリ「Artists」に対応する位置にカーソル表示７０を移動させ、エンターキー１３Ａを操作すると、表示部１０の表示が図１２Ａに一例が示されるアーティストリスト画面１０６に切り替わる。アーティストリスト画面１０６は、属性情報テーブルに記述される全てのアーティストＩＤについて、対応するアーティスト名が所定の順序にソーティングされて一覧表示される。ソーティングは、例えばアーティスト名のアルファベット順になされる。
【０１１３】
カーソル表示７０は、例えば再生装置１において最も再生頻度が高いアーティスト名（"Genesis"とする）に対応する位置に自動的に配置される。この場合、例えば、属性情報テーブルの再生頻度をアーティストＩＤ毎に集計し、最も値が大きいアーティストＩＤに対応するアーティスト名を求める。
【０１１４】
アーティストリスト画面１０６において、例えばエンターキー１３Ａを操作すると、表示部１０の表示がアーティスト別アルバムリスト画面１０７に切り替わる。アーティスト別アルバムリスト画面１０７は、アーティストリスト画面１０６においてエンターキー１３Ａを操作した時点でカーソル表示７０が配置される位置に対応したアーティストのアルバムのリストが表示される。
【０１１５】
図１２Ｂにおいて、アルバムリスト画面１０７は、基本的には上述のアルバムリスト画面１０４と同様の構成とされ、再生装置１に記録されている、上述したアーティストリスト画面１０６でエンターキー１３Ａ操作時にカーソル表示７０が配置されていたアーティストのアルバム名が、所定の順序にソーティングされて一覧表示される。ソーティングは、例えばアルバム名のアルファベット順や読みの５０音順になされる。
【０１１６】
カーソル表示７０は、当該アーティスト別アルバムリスト画面１０７に表示されるアルバムに対応するアーティストの代表作とされるアルバム名に対応する位置に、自動的に配置される。例えば、当該アルバムＩＤに対応するセールス情報に基づき、最も売り上げの多いアルバムＩＤに対応するアルバム名を求める。
【０１１７】
アーティスト別アルバムリスト画面１０７において、例えばエンターキー１３Ａを操作すると、表示部１０の表示が図１２Ｃに一例が示されるアルバム収録コンテンツリスト画面１０８に切り替わる。アルバム収録コンテンツリスト画面１０８は、アーティスト別アルバムリスト画面１０７においてエンターキー１３Ａを操作した時点でカーソル宇表示７０が配置されていたアルバムに収録されるコンテンツのリストが表示される。
【０１１８】
なお、上述の図１２Ｂの例では、画面がアーティストリスト画面１０６が切り替わった際にアーティスト名（"Genesis"とする）に対応する位置にカーソル表示７０が配置された状態から、キー１３に対する操作などでカーソル表示７０の位置が他のアーティスト名（"John Lennon"とする）に移動されているものとする。
【０１１９】
図１２Ｃにおいて、アルバム収録コンテンツリスト画面１０８は、基本的には上述のアルバム収録コンテンツリスト画面１０５と同様の構成とされる。アルバム収録コンテンツリスト画面１０８において、例えばエンターキー１３Ａを操作すると、表示部１０の表示が、カーソル表示７０が配置される位置に対応したコンテンツに関する情報を表示する、上述したコンテンツ画面１０３に切り替わる。それと共に、当該コンテンツ画面１０３に情報が表示されるコンテンツが再生装置１において再生される。
【０１２０】
なお、アーティストリスト画面１０６、アーティスト別アルバムリスト画面１０７およびアルバム収録コンテンツリスト画面１０８の表示中にバックキー１５を操作することで、表示部１０の表示がそれぞれ直前に表示されていた画面に切り換えられる。
【０１２１】
次に、カテゴリ画面１０１において、カテゴリ「Genres」が選択された場合について説明する。リスト表示のカテゴリ「Genres」に対応する位置にカーソル表示７０を移動させ、エンターキー１３Ａを操作すると、表示部１０の表示が図１３Ａに一例が示されるジャンル選択画面１０９に切り替わる。ジャンル選択画面１０８は、属性情報テーブルに記述される全てのジャンルＩＤについて、対応する音楽ジャンル名が所定の順序にソーティングされて一覧表示される。ソーティングは、例えば音楽ジャンル名のアルファベット順や読みの５０音順になされる。
【０１２２】
カーソル表示７０は、例えば再生装置１において最も再生頻度が高い音楽ジャンル名（"Rock"とする）に対応する位置に自動的に配置される。この場合、例えば属性情報テーブルの再生頻度をジャンルＩＤ毎に集計し、最も値が大きいジャンルＩＤに対応するジャンル名を求める。
【０１２３】
ジャンル選択画面１０９において、例えばエンターキー１３Ａを操作すると、表示部１０の表示が図１３Ｂに一例が示されるジャンル別アーティストリスト画面１１０に切り替わる。ジャンル別アーティストリスト画面１１０は、基本的には上述したアーティストリスト画面１０６と同様の構成とされ、ジャンル選択画面１０９でエンターキー１３Ａが操作された時点でカーソル表示７０が配置されていたジャンルに対応するアーティスト名が、所定の順序にソーティングされて一覧表示される。ソーティングは、例えばアーティスト名のアルファベット順や読みの５０音順になされる。
【０１２４】
カーソル表示７０は、例えば再生装置１において、当該ジャンルのアーティストのうち最も再生頻度が高いアーティスト名（"John Lennon"とする）に対応する位置に自動的に配置される。例えば、属性情報テーブルのうち、当該ジャンルＩＤに対応するコンテンツの再生頻度をアーティストＩＤ毎に集計し、最も値の大きいアーティストＩＤに対応するアーティスト名を求める。
【０１２５】
ジャンル別アーティストリスト画面１１０において、例えばエンターキー１３を操作すると、表示部１０の表示がジャンル別アーティストアルバムリスト画面１１１に切り替わる。ジャンル別アーティストアルバムリスト画面１１１は、ジャンル別アーティストリスト画面１１０においてエンターキー１３Ａを操作した時点でカーソル表示７０が配置される位置に対応したアーティストのアルバムのリストが表示される。
【０１２６】
図１３Ｃにおいて、ジャンル別アーティストアルバムリスト画面１１１は、基本的には、上述のアルバムリスト画面１０４と同様の構成とされ、ジャンル別アーティストリスト画面１１０でエンターキー１３Ａ操作時にカーソル表示７０が配置されていたアーティストのアルバム名が、所定にソーティングされて一覧表示される。ソーティングは、例えばアルバムのアルファベット順や読みの５０音順になされる。
【０１２７】
カーソル表示７０は、当該ジャンル別アーティストアルバムリスト画面１１１に表示されるアルバムに対応するアーティストの代表作とされるアルバム名（"Imagine"とする）に対応する位置に、自動的に配置される。例えば、属性情報テーブルのうち、当該アーティストのアルバムＩＤに対応したセールス情報に基づき、売り上げが最も多いアルバムＩＤに対応するアルバム名を求める。
【０１２８】
ジャンル別アーティストアルバムリスト画面１１１において、例えばエンターキー１３を操作すると、表示部１０の表示がジャンル別アーティストアルバム収録コンテンツリスト画面１１２に切り換えられる（図１３Ｄ）。ジャンル別アーティストアルバム収録コンテンツリスト画面１１２は、ジャンル別アーティストアルバムリスト画面１１１においてエンターキー１３Ａを操作した時点でカーソル表示７０が配置される位置に対応したアルバムに収録されたコンテンツのリストが表示される。
【０１２９】
図１３Ｄにおいて、ジャンル別アーティストアルバム収録コンテンツリスト画面１１２は、基本的には上述のアルバム収録コンテンツリスト画面１０５と同様の構成とされ、ジャンル別アーティストアルバムリスト画面１１１でエンターキー１３Ａ操作時にカーソル表示７０が配置されていたアルバムに収録されたコンテンツ名が、所定にソーティングされて一覧表示される。ソーティングは、例えばコンテンツのアルバム収録順になされる。
【０１３０】
ジャンル別アーティストアルバム収録コンテンツリスト画面１１２において、例えばエンターキー１３Ａを操作すると、表示部１０の表示が、カーソル表示７０が配置される位置に対応したコンテンツに関する情報を表示する、上述したコンテンツ画面１０３に切り替わる。それと共に、当該コンテンツ画面１０３に情報が表示されるコンテンツが再生装置１において再生される。
【０１３１】
なお、ジャンル選択画面１０９、ジャンル別アーティストリスト画面１１０、ジャンル別アーティストアルバムリスト画面１１１およびジャンル別アーティストアルバム収録コンテンツリスト画面１１２の表示中にバックキー１５を操作することで、表示部１０の表示がそれぞれ直前に表示されていた画面に切り換えられる。
【０１３２】
次に、カテゴリ画面１０１において、カテゴリ「Rating」が選択された場合について説明する。リスト表示のカテゴリ「Rating」に対応する位置にカーソル表示７０を移動させ、エンターキー１３Ａを操作すると、表示部１０の表示が図１４Ａに一例が示されるレイティング表示画面１１３に切り替わる。レイティング表示画面１１３は、選択可能なレイティングのリストが、レイティングの値に応じて段階的に表示される。この図１４Ａの例では、レイティング情報がレイティングの値に応じた星印（★）の数によって段階的に示される。例えば、星印５個で、最もレイティングが高いことを示し、星印１個は、最もレイティングが低いことを示す。カーソル表示７０は、最もレイティングが高いことを示すレイティング情報に対応する位置に自動的に配置される。
【０１３３】
レイティング表示画面１１３において、例えばエンターキー１３Ａを操作すると、表示部１０の表示が、図１４Ｂに一例が示されるレイティング別コンテンツリスト画面１１４に切り換えられる。レイティング別コンテンツリスト画面１１４は、レイティング表示画面１１３でエンターキー１３Ａを操作した時点でカーソル表示７０が配置される位置に対応したレイティング情報を持つコンテンツのリストが所定にソーティングされて一覧表示される。ソーティングは、例えばコンテンツのアルファベット順になされる。
【０１３４】
この図１４Ｂの例では、レイティング別コンテンツリスト画面１１４の上端側に、現在当該画面１１４に表示されているリストのレイティングが星印で以て表示される（この例では星印５個）。
【０１３５】
また、図１４Ｂの例では、カーソル表示７０は、例えば属性情報テーブルの再生頻度に基づき、この再生装置１で最も再生頻度が高いコンテンツ名に対応する位置に自動的に配置される。すなわち、属性情報テーブルに基づき、星印５個に対応するレイティングを有するコンテンツＩＤが抽出され、抽出されたコンテンツＩＤのそれぞれについて、再生頻度が比較される。
【０１３６】
レイティング別コンテンツリスト画面１１４において、例えばエンターキー１３Ａを操作すると、表示部１０の表示が、エンターキー１３Ａを操作した時点でカーソル表示７０が配置される位置に対応したコンテンツに関する情報を表示する、上述したコンテンツ画面１０３に切り替わる。それと共に、当該コンテンツ画面１０３に情報が表示されるコンテンツが再生装置１において再生される。
【０１３７】
なお、レイティング表示画面１１３およびレイティング別コンテンツリスト画面１１４の表示中にバックキー１５を操作することで、表示部１０の表示がそれぞれ直前に表示されていた画面に切り換えられる。
【０１３８】
次に、カテゴリ画面１０１において、カテゴリ「Year of Release」が選択された場合について説明する。リスト表示のカテゴリ「Year of Release」に対応する位置にカーソル表示７０を移動させ、エンターキー１３Ａを操作すると、表示部１０の表示が図１５Ａに一例が示されるリリース年リスト画面１１５に切り替わる。リリース年リスト画面１１５は、属性情報テーブルに記述される全てのリリース情報に示されるリリース年が所定の順序にソーティングされて一覧表示される。ソーティングは、例えば古い年度から順になされる。カーソル表示７０は、例えば現在の日付に最も近いリリース年に対応する位置に自動的に配置される。
【０１３９】
リリース年リスト画面１１５において、例えばエンターキー１３Ａを操作すると、表示部１０の表示が図１５Ｂに一例が示されるリリース年別アーティストリスト画面１１６に切り換えられる。リリース年別アーティストリスト画面１１６は、リリース年リスト画面１１５においてエンターキー１３Ａを操作した時点でカーソル表示７０が配置される位置に対応したリリース年にアルバムをリリースしたアーティスト名が、所定の順序にソーティングされて表示される。ソーティングは、例えばアーティスト名のアルファベット順や読みの５０音順になされる。
【０１４０】
なお、図１５Ａおよび図１５Ｂの例では、画面がリリース年リスト画面１１５に切り替わった際に直近のリリース年に対応する位置にカーソル表示７０が配置された状態から、キー１３に対する操作などでカーソル表示７０の位置が他のリリース年（この例では１９７１年）に対応する位置まで移動されているものとする。
【０１４１】
カーソル表示７０は、例えば再生装置１おいて、当該リリース年のコンテンツを有するアーティストで最も再生頻度が高いアーティスト名（"John Lennon"とする）に対応する位置に自動的に配置される。この場合、例えば、属性情報テーブルの当該リリース年に対応するリリース情報を有するコンテンツＩＤについて、アーティストＩＤ毎に再生履歴を集計する。
【０１４２】
リリース年別アーティストリスト画面１１６において、例えばエンターキー１３Ａを操作すると、表示部１０の表示が図１５Ｃに一例が示されるリリース年別コンテンツリスト画面１１７に切り換えられる。リリース年別コンテンツリスト画面１１７は、リリース年別アーティストリスト画面１１６においてエンターキー１３Ａを操作した時点でカーソル表示７０が配置される位置に対応したアーティストのコンテンツが一覧表示される。
【０１４３】
カーソル表示７０は、例えば、当該リリース年に、当該アーティストによりリリースされたコンテンツのうち、この再生装置１において最も再生頻度の高いコンテンツ（"Imagine"とする）に対応する位置に自動的に配置される。
【０１４４】
なお、上述の図１５Ｂの例では、リストの最上部に、再生装置１に記録されたコンテンツのうち、当該リリース年別アーティストリスト画面１１６が対象とするリリース年にリリースされた全てのコンテンツを選択対象とする項目「All xxxx」（"xxxx"はリリース年を示す）が示される。図１５Ｂの表示において、さらにカーソル表示７０がこの項目「All 1971」に移動されたものとする。
【０１４５】
リリース年別アーティストリスト画面１１６において、例えばエンターキー１３Ａを操作すると、表示部１０の表示が、カーソル表示７０が配置される位置に対応したコンテンツに関する情報を表示する、上述したコンテンツ画面１０３に切り替わる。それと共に、当該コンテンツ画面１０３に情報が表示されるコンテンツが再生装置１において再生される。
【０１４６】
なお、リリース年リスト画面１１５、リリース年別アーティストリスト画面１１６およびリリース年別コンテンツリスト画面１１７の表示中にバックキー１５を操作することで、表示部１０の表示がそれぞれ直前に表示されていた画面に切り換えられる。
【０１４７】
次に、カテゴリ画面１０１において、カテゴリ「New Tracks」が選択された場合について説明する。リスト表示のカテゴリ「New Tracks」に対応する位置にカーソル表示７０を移動させ、エンターキー１３Ａを操作すると、表示部１０の表示が図１６Ａに一例が示されるニューアルバムリスト画面１１８に切り替わる。ニューアルバムリスト画面１１８は、登録日が最新のコンテンツＩＤに対応するコンテンツが収録されるアルバムのリストが表示される。例えば、属性情報テーブルのフィールド「登録日」に基づき、現在の日付から所定範囲まで過去の登録日を有するコンテンツＩＤが抽出され、コンテンツＩＤに対応するアルバム名が所定の順序にソーティングされて一覧表示される。ソーティングは、例えばアルバム名のアルファベット順になされる。
【０１４８】
カーソル表示７０は、例えば登録日が現在から所定範囲まで過去のアルバム名のうち、例えば属性情報テーブルのフィールド「セールス情報」に基づき、最も売り上げが多いアルバムＩＤに対応したアルバム名（"Imagine"とする）に対応する位置に自動的に配置される。
【０１４９】
ニューアルバムリスト画面１１８において、例えばエンターキー１３Ａを操作すると、表示部１０の表示が図１６Ｂに一例が示されるニュートラックリスト画面１１９に切り替わる。ニュートラックリスト画面１１９は、ニューアルバムリスト画面１１８においてエンターキー１３Ａを操作して時点でカーソル表示７０が配置されていたアルバムに収録されるコンテンツのリストが表示される。
【０１５０】
図１６Ｂにおいて、ニュートラックリスト画面１１９は、基本的には、上述のアルバム収録コンテンツリスト画面１０５と同様の構成とされる。ニュートラックリスト画面１１９において、例えばエンターキー１３Ａを操作すると、表示部１０の表示がカーソル表示７０が配置される位置に対応したコンテンツに関する情報を表示する、上述したコンテンツ画面１０３に切り替わる。それと共に、当該コンテンツ画面１０３に情報が表示されるコンテンツが再生装置１において再生される。
【０１５１】
なお、ニューアルバムリスト画面１１８およびニュートラックリスト画面１１９の表示中にバックキー１５を操作することで、表示部１０の表示がそれぞれ直前に表示されていた画面に切り換えられる。
【０１５２】
既に説明したように、カテゴリ画面１０１から選択される各カテゴリにおいて、最終的に選択されたコンテンツが再生される際は、表示部１０の表示がカテゴリに共通でコンテンツ画面１０３とされる。このコンテンツ画面１０３表示中に操作部２０に対して所定の操作を行うことで、各カテゴリの検索画面に移行可能な状態とすることができる。
【０１５３】
例えば、コンテンツ画面１０３の表示中にキー１３の下方向キーを操作することで、図１７Ａに一例が示されるように、コンテンツ画面１０３にカーソル表示７２が表示されコンテンツ画面１０３’とされる。この図１７の例では、先ず、メイン表示領域７１Ａにおいて、コンテンツに関する情報のうちアルバム名に対応した位置にカーソル表示７２が表示される。サブ表示領域７１Ｂには、カーソル表示７２の位置に対応した情報（この例では"Imagine"）が表示される。
【０１５４】
このコンテンツ画面１０３’の表示中にバックキー１５を操作すると、表示部１０の表示がカテゴリ「Albums」の検索画面であるアルバム収録コンテンツリスト画面１０５に切り替わる。また、コンテンツ画面１０３’の表示中にキー１３の上方向キーを操作すると、表示部１０の表示が直前に表示されていたコンテンツ画面１０３の表示に切り換えられる。
【０１５５】
以下、同様にして、下方向キーおよび上方向キーを操作することで、カーソル表示７２が移動され、カーソル表示７２の位置に対応したカテゴリの検索画面に移行可能な状態とされる。
【０１５６】
例えば、コンテンツ画面１０３’においてカーソル表示７２がアルバム名に対応した位置に配置されているときに下方向キーを操作することで、図１７Ｂに一例が示されるように、カーソル表示７２が一つ下に移動されアーティスト名に対応した位置に配置されると共に、サブ表示領域７１Ｂに対してアーティスト名が表示される。この状態でバックキー１５を操作すると、表示部１０の表示がカテゴリ「Artists」の項目（この場合、アーティスト名）が選択された結果の画面であるアーティスト別アルバムリスト画面１０７に切り替わる。
【０１５７】
次に、カーソル表示７２がアーティスト名に対応した位置に配置されているときに下方向キーを操作することで、図１７Ｃに一例が示されるように、カーソル表示７２が一つ下に移動されジャンル名に対応した位置に配置されると共に、サブ表示領域７１Ｂに対してジャンル名が表示される。この状態でバックキー１５を操作すると、表示部１０の表示がカテゴリ「Genres」の項目（この場合、ジャンル）が選択された結果の画面であるジャンル別アーティストリスト画面１１０に切り替わる。
【０１５８】
次に、カーソル表示７２がジャンル名に対応した位置に配置されているときに下方向キーを操作することで、図１７Ｄに一例が示されるように、カーソル表示７２が一つ下に移動されレイティングに対応した位置に配置されると共に、サブ表示領域７１Ｂに対してレイティング情報が表示される。この状態でバックキー１５を操作すると、表示部１０の表示がカテゴリ「Rating」の項目（この場合、レイティング情報）が選択された結果の画面であるレイティング表示画面１１３に切り替わる。
【０１５９】
次に、カーソル表示７２がレイティングに対応した位置に配置されているときに下方向キーを操作することで、図１７Ｅに一例が示されるように、カーソル表示７２が一つ下に移動されリリース情報に対応した位置に配置されると共に、サブ表示領域７１Ｂに対してリリース年が表示される。この状態でバックキー１５を操作すると、表示部１０の表示がカテゴリ「Year of Release」の項目（この場合、リリース年）が選択された結果の画面であるリリース年別アーティストリスト画面１１６に切り替わる。
【０１６０】
なお、この例では、カーソル表示７２がリリース年に対応した位置に配置されているときに下方向キーが操作されると、カーソル表示７２が表示部１０から消される。これはこの例に限らず、例えば表示部１０の表示を図１０Ｂのコンテンツ画面１０３に戻し、巡回的に表示を切り換えるようにもできる。
【０１６１】
また、図１７Ａ〜図１７Ｅに示す各画面において、キー１３の上方向キーを操作すると、表示部１０の表示が直前の画面に切り替わる。
【０１６２】
なお、上述した、各リスト画面におけるカーソル表示７０のデフォルト位置の設定方法は一例であって、この例に限定されるものではない。例えば、再生装置１側の情報に基づきカーソル表示７０のデフォルト位置が設定される画面において、再生装置１側の情報を用いずに、ミュージックサーバ４側から提供される情報（セールス情報やランキング情報など）を用いてカーソル表示７０のデフォルト位置を設定することも可能である。
【０１６３】
同様に、ミュージックサーバ４側から提供される情報を用いてカーソル表示７０のデフォルト位置を設定する画面において、ミュージックサーバ４側から提供される情報を用いずに、再生装置１側の情報を用いてカーソル表示７０のデフォルト位置を設定してもよい。
【０１６４】
さらに、再生装置１側やミュージックサーバ４側から提供された情報を用いてカーソル表示７０のデフォルト位置を設定する画面で、これらの情報を用いずに、時間情報に基づきカーソル表示７０のデフォルト位置を設定することもできる。
【０１６５】
３−２．プレビュー再生モード時におけるカーソル表示のデフォルト位置設定方法について
次に、プレビュー再生モード時における、カーソル表示のデフォルト位置の設定方法の例について説明する。
【０１６６】
３−２−１．プレビュー再生モード時の再生動作の概略について
最初に、プレビュー再生モード時の再生動作について、概略的に説明する。上述したように、プレビュー再生モードでは、コンテンツであるオーディオデータの所定部分のみを選択的に再生するようにされ、これが、所定の関係にある複数のコンテンツについて連続的に行われる。一例として、オーディオデータの先頭から再生時間で４５秒後の位置から３０秒間が、プレビュー再生モードで再生される。
【０１６７】
このような再生を行う方法としては、ハードディスクドライブ３２からオーディオデータを読み出す際の読み出し制御により実現する第１の方法と、バッファメモリに溜め込まれたオーディオデータを読み出す際の読み出し制御により実現する第２の方法との２通りが考えられる。
【０１６８】
すなわち、第１の方法では、オーディオデータのヘッダ情報に基づき当該オーディオデータの１フレーム当たりの再生時間を解析し、解析結果を用いてプレビュー再生を開始するオーディオデータ上での位置を、例えばオーディオデータの先頭からのオフセットとして求める。それと共に、１フレーム当たりの再生時間から、所定時間（例えば３０秒間）を再生するためのデータサイズを求める。これらオフセットとデータサイズとに基づき、ハードディスクドライブ３２からオーディオデータの所定部分を選択的に読み出し、バッファメモリに溜め込む。所定のリストに基づき複数のコンテンツについてプレビュー再生を行う際には、ハードディスクドライブ３２から読み出されたオーディオデータの所定部分を、バッファメモリに先頭から詰め込んでいく。再生の際には、バッファメモリの先頭から、溜め込まれたオーディオデータを順次読み出し、デコードする。
【０１６９】
第２の方法では、プレビュー再生を行うオーディオデータの全長をハードディスクドライブ３２から読み出し、バッファメモリに溜め込む。そして、溜め込まれたオーディオデータについて、第１の方法と同様にして解析を行い、プレビュー再生を開始するオーディオデータ上のオフセットと、所定時間を再生するためのデータサイズ（フレーム数）を求める。再生の際には、求められたオフセットとデータサイズとに基づき、バッファメモリ上の読み出しポインタを設定する。プレビュー再生の開始位置まで読み出しポインタを移動させてデータの読み出しを開始させ、所定時間再生されたら、次のオーディオデータの再生開始位置まで読み出しポインタを移動させる。
【０１７０】
プレビュー再生の再生制御について説明する。再生装置１においては、プレビュー再生を開始する方法として、以下の２種類の方法が適用される。１つは、コンテンツの選択操作において、カーソル表示がリスト表示のある項目に対応する位置に所定時間以上停留した場合に、当該項目に関連したコンテンツについて、プレビュー再生を自動的に開始する方法である。もう１つは、通常再生モードなどにおいて、操作部２０の所定のキーを操作することで、通常再生モードからプレビュー再生モードに移行させる方法である。この発明の実施の一形態によるカーソル表示のデフォルト位置設定方法は、これら２種類のプレビュー再生方法の何れにも適用させることができる。
【０１７１】
３−２−２．カーソル表示のデフォルト位置設定方法について
以下では、操作部２０の所定のキーを操作することで通常再生モードから移行されたプレビュー再生モードに対して、この発明の実施の一形態によるカーソル表示のデフォルト位置設定方法を適用させた例について説明する。
【０１７２】
再生装置１においては、上述したアーティストリンク情報を用いてコンテンツを選択するアーティストリンクモード時に、プレビュー再生が行われる。アーティストリンクモードにおいては、表示部１０に、現在再生中のコンテンツのアーティストに関連するアーティストのリストが表示され、カーソル表示７０が関連アーティストに対応する位置に所定時間以上停留したら、当該関連アーティストのコンテンツを自動的にプレビュー再生する。
【０１７３】
また、上述したように、アーティストリンク情報は、アーティストに対する関連の度合いに応じて段階的に構成することができる。以下では、アーティストリンク情報が、あるアーティストに対して強い関連がある第１のアーティストリンク情報と、当該アーティストに対して弱い関連がある第２のアーティストリンク情報とからなる２段階で構成されるものとする。
【０１７４】
図１８は、あるコンテンツデータを再生中に所定のキー（ディスカバリキー１４とする）を操作してアーティストリンクモードを起動させた場合の一例の処理を示すフローチャートである。また、図１９および図２０は、図１８のフローチャートに伴う表示部１０の表示例を示す。
【０１７５】
図１８のフローチャートの処理に先立って、ハードディスクドライブ３２に記録された、あるアーティスト（"Private Line"とする）のアルバム（"21st Century Pira..."とする）に収録されるコンテンツのリストが予め表示部１０に表示されているものとする。なお、以下の説明において、この図１８のフローチャートの処理に先立って選択されているアーティスト（この例では"Private Line"）を対象アーティストと呼び、対象アーティストに対するアーティストリンク情報に記述されるアーティストを関連アーティストと呼ぶ。
【０１７６】
ステップＳ２０で、例えばキー１３の上および／または下方向キーを用いてカーソル表示７０を移動させ、リストに表示されているコンテンツから再生させたいコンテンツを選択する。カーソル表示７０が再生させたいコンテンツ（"Drive In Salvation..."とする）を示す位置に移動されたら、例えばエンターキー１３Ａを操作することで、カーソル表示７０の位置に対応したコンテンツデータの通常再生が開始される（ステップＳ２１）。このとき、表示部１０の表示は、通常再生されているコンテンツに関する情報を示すコンテンツ画面１０３とされる（図１９Ａ参照）。
【０１７７】
コンテンツデータの再生中にディスカバリキー１４が操作されたと判断されれば（ステップＳ２２）、再生装置１の動作モードがアーティストリンクモードに移行され、アーティストリンク情報に基づき、現在再生中のコンテンツデータに対応するアーティストに強い関連があるアーティスト情報が検索されると共に、表示部１０の画面が図１９Ｂに一例が示される検索中画面１２０に遷移する。
【０１７８】
検索中画面１２０では、アーティストリンク情報により関連アーティストを検索する対象となるアーティスト名("Private Line")と、現在検索中であることがテキストによるメッセージと、アイコン（図１９Ｂの例では、回転する２つの半円形の矢印）とで示される。コンテンツデータの再生は、継続され、検索中画面１２０のサブ表示領域７１Ｂには、再生中のコンテンツ名（この例では"Drive In Salvation..."）が表示される。
【０１７９】
検索中画面１２０に遷移してから所定時間が経過したと判断されれば（ステップＳ２４）、処理はステップＳ２５に移行し、ステップＳ２３の検索結果に基づき現在再生中のコンテンツデータに対応するアーティストに強い関連のあるアーティスト情報である第１のアーティストリンク情報が存在するか否かが判断される。存在すると判断されれば、処理はステップＳ２６に移行される。
【０１８０】
一方、ステップＳ２５で、強い関連のあるアーティスト情報が存在しないと判断されれば、処理はステップＳ３２に移行する。ステップＳ３２では、現在再生中のコンテンツデータに対応するアーティストに対応する第１のアーティストリンク情報、ならびに、当該アーティストに対して弱い関連がある関連アーティストのリンク情報である第２のアーティストリンク情報が存在するか否かが判断される。若し、対象アーティストに対応する第１および第２のアーティストリンク情報が共に存在しないと判断されれば、処理はステップＳ３４に移行される。
【０１８１】
一方、ステップＳ３２で、対象アーティストに対応する第２のアーティストリンク情報が存在すると判断されれば、処理はステップＳ３３に移行する。ステップＳ３３では、対象アーティストに対するアーティストリンク情報について、関連度の基準を緩和するか否かの選択をユーザに促す画面（図示しない）が表示部１０に表示される。なお、ステップＳ３３の時点では、コンテンツデータの再生は通常再生モードで継続されている。
【０１８２】
ステップＳ３３でディスカバリキー１４またはエンターキー１３Ａが操作され、関連度の基準を緩和して再度、関連アーティストリンク情報を表示させることが確定されれば、対象アーティストに対するアーティストリンク情報を、第１のアーティストリンク情報から第２のアーティストリンク情報に切り換えて、処理をステップＳ２５に戻す。
【０１８３】
一方、ステップＳ３３で、関連度の基準を緩和しないことが選択されたら、処理はステップＳ３４に移行され、表示部１０の表示が現在再生中のコンテンツを示す、図１９Ａのコンテンツ画面１０３に戻され、現在再生中のコンテンツの通常再生が継続される。
【０１８４】
上述したステップＳ２５で、アーティストリンク情報に基づき、対象アーティストに対する関連アーティストを示す関連アーティスト情報が存在すると判断されれば、処理はステップＳ２６に移行される。
【０１８５】
ステップＳ２６では、表示部１０の表示が、図１９Ｃに一例が示される、関連アーティスト情報を表示する関連アーティスト情報表示画面１２１に移行される。関連アーティスト情報表示画面１２１は、上述したステップＳ２５、ステップＳ３２およびステップＳ３３の分岐に応じて、第１アーティストリンク情報または第２のアーティストリンク情報に基づき表示される。
【０１８６】
図１９Ｃの例では、関連アーティスト情報表示画面１２１は、関連アーティスト情報が表示される対象となるアーティスト名が最上部に、カーソル表示７０と共に表示されると共に、対象アーティストに対して関連があるとされたアーティスト情報が、所定の順序にソーティングされて、第１または第２のアーティストリンク情報に基づきリスト表示される。ソーティングは、例えば再生装置１に記録されるコンテンツ数あるいはアルバム数の順になされる。また、図１９Ｃの例では、第１または第２のアーティストリンク情報に基づく関連アーティスト情報は、対象アーティストを示すアイコン７５に対して点線で結びつけられて表示されている。
【０１８７】
なお、図１９Ｃの表示において、対象アーティストに対するアーティストリンク情報が、１画面に表示可能な数以上のアーティスト情報を含んでいる場合、操作部２０のキーを所定に操作することで、現在の画面に表示されていないアーティスト情報を表示部１０に表示させることができる。例えば、キー１３の下方向キーを操作してカーソル表示７０を所定位置（図１９Ｃの例では表示"Discover more.."の位置）の移動させることで、表示部１０に表示される関連アーティスト情報が１つずつ送られる。
【０１８８】
次のステップＳ２７では、関連アーティスト情報表示画面１２１において、カーソル表示７０が現在再生中のコンテンツデータに対応するアーティスト名の位置に配置されているか否かが判断される。すなわち、ユーザは、関連アーティスト情報表示画面１２１の表示に基づき、例えばキー１３の上方向キーおよび下方向キーを操作して、カーソル表示７０を移動させることができる。カーソル表示７０が現在再生中のコンテンツデータに対応するアーティスト名の位置から移動されていないと判断されれば、現在再生中のコンテンツデータの通常再生が継続される（ステップＳ２８）。
【０１８９】
ステップＳ２７で、カーソル表示７０が現在再生中のコンテンツデータに対応するアーティスト名の位置から移動されたと判断されれば、処理はステップＳ２９に移行される。例えば、ユーザによりキー１３の下方向キーが操作され、カーソル表示７０が関連アーティスト（"Motley Crue"とする）に対応する位置に移動される（図１９Ｄ参照）。
【０１９０】
この実施の一形態では、ステップＳ２９でカーソル表示７０を関連アーティスト名に対応する位置に移動させる際に、カーソル表示７０の位置を所定の情報に基づき自動的に配置させる。例えば、関連アーティスト情報表示画面１２１に表示される関連アーティストのうち、再生装置１で最も再生頻度の高いアーティスト名に対応する位置に、カーソル表示７０を自動的に配置できる。
【０１９１】
より具体的な操作例としては、表示部１０の表示が図１９Ｃの状態、すなわち、カーソル表示７０が対象アーティスト名に対応した位置に表示されている状態で、キー１３の下方向キーを短押しする。すると、カーソル表示７０が、関連アーティストの一覧のうち再生装置１で最も再生頻度の高いアーティスト名（"Motley Crue"とする）に対応する位置に自動的に配置される（図１９Ｄ参照）。
【０１９２】
ステップＳ３０では、キー操作の有無などが判断される。例えば、ステップＳ３０で、カーソル表示７０が移動先の関連アーティスト名の位置に所定時間以上、停留されたと判断されれば、処理はステップＳ３１に移行し、再生モードが通常再生モードからプレビュー再生モードに遷移される。そして、カーソル表示７０の位置に対応したアーティスト名が選択されたアーティスト名とされ、当該アーティスト名に対応したコンテンツデータが自動的にプレビュー再生される。
【０１９３】
一方、ステップＳ３０で、所定のキー、例えばエンターキー１３Ａが操作されたと判断されれば、処理はステップＳ２１に戻され、エンターキー１３Ａを操作した時点でカーソル表示７０が配置されている位置に対応した関連アーティスト（"Motley Crue"）のコンテンツ（"Dr. Feelgood"とする）が通常再生モードで再生される。それと共に、表示部１０の表示が、再生されるコンテンツの情報を表示するコンテンツ画面１０３に切り換えられる（図２０Ａ参照）。
【０１９４】
なお、このときエンターキー１３Ａを長押しするか、短押しするかで、処理を異ならせることができる。例えば、当該関連アーティストのコンテンツを、エンターキー１３Ａの短押しで単独再生させるようにし、長押しで一括再生させるようにできる。なお、単独再生は、例えば、１のコンテンツを再生し終わったら待機状態となる再生方法である。また、一括再生は、例えば、関連するコンテンツを連続的に再生する再生方法である。
【０１９５】
処理がステップＳ３０からステップＳ２１に戻され、コンテンツの通常再生モードによる再生が開始されてからも、所定のキー（ディスカバリキー１４）を操作することで、プレビュー再生モードに移行させることができる。例えば、ステップＳ２１に処理が戻された後のステップＳ２２でディスカバリキー１４が操作されたと判断されたら、処理はステップＳ２３に移行され、表示部１０の表示が検索中画面１２０に切り替わる（図２０Ｂ参照）。ステップＳ２１で再生開始されたコンテンツは、継続的に再生される。検索中画面１２０のメイン表示領域７１Ａには、現在選択されているアーティスト名（"Motley Crue"）が表示され、サブ表示領域７１Ｂには、現在再生中のコンテンツ名（"Dr. Feelgood"）が表示される。
【０１９６】
ステップＳ２４で所定時間が経過されたと判断されたら、次のステップＳ２５で、現在再生中のコンテンツのアーティスト（"Motley Crue"）に関連する関連アーティストがさらに検索される。関連アーティストが存在すると判断されれば、ステップＳ２６で、表示部１０の表示が関連アーティスト情報表示画面１２１に切り換えられる（図２０Ｃ参照）。この関連アーティスト情報表示画面１２１においては、前回のステップＳ２６で表示された際の関連アーティストが、新たな対象アーティストとなっていることになる。この関連アーティスト情報表示画面１２１でも、新たな対象アーティストに関連する関連アーティストが所定の順序にソーティングされて表示される。
【０１９７】
次のステップＳ２７で、例えばキー１３の下方向キーが操作され、カーソル表示７０が再生中のコンテンツのアーティスト名に対応する位置から移動されたと判断されたら、処理はステップＳ２９に移行される。このとき、上述と同様にして、カーソル表示７０の位置を所定の情報に基づき自動的に配置させる。図２０Ｄには、図２０Ｃの状態からキー１３の下方向キーの操作で、新たな対象アーティスト（"Motley Crue"）に関連する関連アーティストのうち再生装置１で最も再生頻度の高い関連アーティスト（"Accept"とする）に対応する位置に、カーソル表示７０が自動的に配置された様子が示されている。
【０１９８】
なお、アーティストリンクモード時においても、バックキー１５を操作することで、表示部１０の画面を１段階前の画面に戻すことができる。この図１９の例では、図１９Ｄの関連アーティスト情報表示画面１２１の状態でバックキー１５を操作すると、表示部１０の表示が図１９Ａのコンテンツ画面１０３に戻される。同様に、図２０Ｄの関連アーティスト情報表示画面１２１の状態でバックキー１５を操作すると、表示部１０の表示が図２０Ａのコンテンツ画面１０３に戻される。また、図２０Ａのコンテンツ画面１０３の状態でバックキー１５を操作すると、表示部１０の表示が図１９Ｄの関連アーティスト情報表示画面１２１に戻される。
【０１９９】
なお、上述では、プレビュー再生モードにおいて、対象アーティストに関連する関連アーティストの情報を、再生装置１内のハードディスクドライブ３２に記録されたコンテンツから検索したが、これはこの例に限定されない。
【０２００】
例えば、ＰＣ２が有するハードディスクドライブに再生装置１が有するハードディスクドライブ３２に記録されるコンテンツよりさらに多数のコンテンツを記録してＰＣ２を再生装置１に対するミュージックサーバ的に用いることが考えられる。このとき、再生装置１とＰＣ２とを接続して用い、再生装置１においてアーティストリンクモードを起動させた際に、ＰＣ２内のハードディスクドライブに記録されたコンテンツも対象として、関連アーティスト情報を検索するようにできる。さらに、インターネット３を介して接続されるミュージックサーバ４に蓄積されるコンテンツを、再生装置１のアーティストリンクモード時の関連アーティスト情報の検索対象とすることも可能である。この場合、再生装置１やＰＣ２内に記録されていなく、ミュージックサーバ４に蓄積されたコンテンツについては、ダウンロードを促すメッセージなどを再生装置１やＰＣ２に表示させるようにできる。
【０２０１】
この、検索対象を再生装置１やＰＣ２内に記録されたコンテンツだけでなく、インターネット３を介して接続されるミュージックサーバ４に蓄積されたコンテンツをも対象とすることは、図７〜図１７を用いて説明した、通常再生モードに対しても適用できる。
【０２０２】
４．この発明の実施の一形態の変形例について
次に、この発明の実施の一形態の変形例について説明する。上述では、コンテンツデータやコンテンツの属性情報を、ミュージックサーバ４からＰＣ２を介して再生装置１に供給するように説明しているが、これはこの例に限定されない。例えば、図２１に一例が示されるように、図３で示した再生装置１の構成に対して例えば無線によるデータ通信を制御する無線通信Ｉ／Ｆ３００とアンテナ３０１とを設けて再生装置１’を構成し、アンテナ３０１を介して外部と通信を行うことでコンテンツデータやコンテンツの属性情報を取得可能とすることができる。
【０２０３】
無線通信Ｉ／Ｆ３００に適用可能な通信方式は、特に限定されないが、例えばＩＥＥＥ(Institute Electrical and Electronics Engineers)８０２．１１規格に準拠した通信方式を用いることができる。また、再生装置１’は、ミュージックサーバ４のＵＲＬ(Uniform Resource Locator)を、予め例えばＲＯＭ４２に記憶しているものとする。
【０２０４】
図２２は、無線通信を介してコンテンツデータやコンテンツの属性情報を取得する場合の、再生装置１’の使用形態の例を示す。ターミナル５は、ホットスポットサービスを提供する無線ターミナルであり、インターネット３に接続されると共に、無線ＬＡＮ(Local Area Network)による通信機能を有する。ホットスポットサービスは、無線ＬＡＮを用いてインターネットに接続できる環境を局所的に提供するサービスである。ターミナル５は、例えば駅や空港といった公共施設や、ホットスポットサービスを提供するようにした店舗などに設置され、無線ＬＡＮによる通信に対応し通信可能な範囲にあるコンピュータ装置などと、アンテナ５Ａを介して通信を行うことができる。
【０２０５】
情報端末装置６は、例えば比較的大規模な店舗や、所謂コンビニエンスストアなどに設置され、所定のネットワークに接続される。ユーザは、この情報端末装置６の画面に表示されるメニューに従い操作することで、選択した情報を得ることができるようにされている。この情報端末装置６は、通信部６Ａを介して無線通信によりデータのやりとりを行うことができるようにされ、ユーザは、この情報端末装置６に対する操作に応じて、無線通信で情報を得ることができる。
【０２０６】
例えばターミナル５を用いる場合、ユーザは、再生装置１’を伴いターミナル５の無線通信圏内に入る。そして、再生装置１’の操作部２０に対して所定の操作を行うことで、再生装置１’とターミナル５との間で通信が行われる。再生装置１’は、ターミナル５との間の通信を確立すると、インターネット３を介してミュージックサーバ４と通信を行い、ミュージックサーバ４からコンテンツデータやコンテンツの属性情報をダウンロードする。ダウンロードに必要な情報は、表示部１０に表示させることができる。
【０２０７】
情報端末装置６を用いる場合には、情報端末装置６は、表示部や操作部を有しているため、ユーザに対してダウンロードするコンテンツデータを情報端末装置６から選択可能とさせたり、コンテンツデータのダウンロードに対してユーザに課金したりすることが容易である。
【０２０８】
一例として、ユーザが再生装置１’を情報端末装置６に近づけて情報端末装置６に対して所定の操作を行うと、再生装置１’と情報端末装置６との間で通信がなされる。再生装置１’と情報端末装置６との間で通信が確立すると、情報端末装置６は、再生装置１’に対してダウンロード可能なコンテンツデータのリストを要求する。この要求に応じて再生装置１’から送信された情報に基づき、情報端末装置６は、表示部にダウンロード可能なコンテンツ名のリストを表示する。ユーザは、表示部の表示に基づき情報端末装置６の操作部に対してダウンロードしたいコンテンツを選択する。選択されたコンテンツのコンテンツＩＤが情報端末装置６からインターネット３を介してミュージックサーバ４に送信される。ミュージックサーバ４は、受信したコンテンツＩＤに対応するコンテンツデータおよび当該コンテンツデータの属性情報を検索し、インターネット３を介して情報端末装置６に送信する。情報端末装置６は、受信したコンテンツデータおよび当該コンテンツデータの属性情報を、再生装置１’に対して転送する。
【０２０９】
５．この発明の実施の一形態の他の変形例について
次に、この発明の実施の一形態の他の変形例について説明する。上述した実施の一形態や実施の一形態の変形例では、再生装置１または再生装置１’が記録媒体としてハードディスクドライブ３２を有し、ミュージックサーバ４からダウンロードされたコンテンツデータをハードディスクドライブ３２に記録するように説明したが、これはこの例に限定されない。
【０２１０】
例えば、図２３に一例が示されるように、フラッシュメモリ３０２のような、書き換え可能なＲＯＭをコンテンツデータを記録する記録媒体として用いることができる。フラッシュメモリ３０２は、ハードディスクドライブ３２に比べてアクセス速度が高速である。そのため、バッファメモリを用いずフラッシュメモリ３０２上のオーディオデータに直接的にアクセスすることで、プレビュー再生を実現することができる。また、図２３の構成例によれば、機構部分を有しないので振動などに強く、また消費電力もハードディスクドライブ３２に対して小さい。
【０２１１】
また、図２３では、フラッシュメモリ３０２が再生装置１”に内蔵されているように示されているが、これはこの例に限定されず、フラッシュメモリ３０２を、再生装置１”に対して着脱可能な構成とすることもできる。フラッシュメモリ３０２が再生装置１”に対して脱着可能であれば、例えばフラッシュメモリ３０２に対して外部でコンテンツデータを記憶させ、後に、コンテンツデータが記憶されたフラッシュメモリ３０２を再生装置１”に装着して用いるような利用法が可能である。この場合には、再生装置１”の構成からＵＳＢコントローラ３３と、ＵＳＢコネクタ３１とを省く構成とすることも可能である。
【０２１２】
なお、上述では、コンテンツをオーディオデータであるとして説明したが、これはこの例に限定されない。すなわち、この発明は、時間情報を有し時系列的に変化する情報であれば、他のコンテンツにも適用することができる。例えば、コンテンツとしてビデオデータを適用することができる。
【図面の簡単な説明】
【０２１３】
【図１】この発明が適用可能な再生装置の一例の使用形態を示す略線図である。
【図２】この発明に適用できる携帯用の再生装置の一例の外観を示す外観図である。
【図３】表示部の一例の構成を示す略線図である。
【図４】再生装置の一例の構成を示すブロック図である。
【図５】再生装置に適用可能なアーキテクチャを概略的に示す略線図である。
【図６】属性情報テーブルの一例の構成を示す略線図である。
【図７】通常再生モードにおける表示画面の一例の遷移を概略的に示す略線図である。
【図８】通常再生モードにおけるコンテンツ検索の一例の処理を示すフローチャートである。
【図９】表示部に表示される画面の一例を示す略線図である。
【図１０】表示部に表示される画面の一例を示す略線図である。
【図１１】表示部に表示される画面の一例を示す略線図である。
【図１２】表示部に表示される画面の一例を示す略線図である。
【図１３】表示部に表示される画面の一例を示す略線図である。
【図１４】表示部に表示される画面の一例を示す略線図である。
【図１５】表示部に表示される画面の一例を示す略線図である。
【図１６】表示部に表示される画面の一例を示す略線図である。
【図１７】表示部に表示される画面の一例を示す略線図である。
【図１８】コンテンツを再生中にキー操作によりアーティストリンクモードを起動させた場合の一例の処理を示すフローチャートである。
【図１９】表示部に表示される画面の一例を示す略線図である。
【図２０】表示部に表示される画面の一例を示す略線図である。
【図２１】無線通信Ｉ／Ｆを設けた再生装置の一例の構成を示すブロック図である。
【図２２】無線通信を介してコンテンツデータおよび属性情報を取得する場合の再生装置の使用形態の例を示す略線図である。
【図２３】記録媒体に書き換え可能なＲＯＭを用いた場合の再生装置の一例の構成を示すブロック図である。
【符号の説明】
【０２１４】
１  再生装置
２  パーソナルコンピュータ
３  インターネット
４  ミュージックサーバ
１０  表示部
１３  ５方向キー
１３Ａ  エンターキー
１４  ディスカバリキー
１５  バックキー
２０  操作部
３２  ハードディスクドライブ
７０，７２  カーソル表示
７１Ａ  メイン表示領域
７１Ｂ  サブ表示領域
１００  メニュー画面
１０１  カテゴリ画面
１０２  コンテンツリスト画面
１０３，１０３’  コンテンツ画面
１０４  アルバムリスト画面
１２０  検索中画面
１２１  関連アーティスト情報表示画面
【図１】
2007035162.tif 000003
【図２】
2007035162.tif 000004
【図３】
2007035162.tif 000005
【図４】
2007035162.tif 000006
【図５】
2007035162.tif 000007
【図６】
2007035162.tif 000008
【図７】
2007035162.tif 000009
【図８】
2007035162.tif 000010
【図９】
2007035162.tif 000011
【図１０】
2007035162.tif 000012
【図１１】
2007035162.tif 000013
【図１２】
2007035162.tif 000014
【図１３】
2007035162.tif 000015
【図１４】
2007035162.tif 000016
【図１５】
2007035162.tif 000017
【図１６】
2007035162.tif 000018
【図１７】
2007035162.tif 000019
【図１８】
2007035162.tif 000020
【図１９】
2007035162.tif 000021
【図２０】
2007035162.tif 000022
【図２１】
2007035162.tif 000023
【図２２】
2007035162.tif 000024
【図２３】
2007035162.tif 000025